(57)【要約】  Ｍ個の信号源によって与えられる原信号を分離する通信装置は、Ｍ個の原信号の少なくともＮ個の異なる総和を受信するＮ個のアンテナ素子を含むアンテナアレイを備える。符号逆拡散器が、Ｍ個の原信号の少なくともＮ個の総和を復号するＮ個のアンテナ要素に接続される。Ｎ個の異なる総和の各々は、関連付けられたＭ個の原信号のｋ個の異なる総和を与えるｋ個の符号を含む。ブラインド信号分離プロセッサは、Ｍ個の原信号の少なくともｋＮ個の異なる総和を含む混合行列を形成し、およびこの混合行列から所望の信号を分離する。混合行列は、最大でｋＮに等しい階数をもつことができる。
2008517491.tif 000002
【特許請求の範囲】
【請求項１】
Ｍ個の信号源によって与えられる原信号を分離する通信装置であって、前記通信装置は、
前記Ｍ個の原信号の少なくともＮ個の異なる総和を受信するＮ個のアンテナ素子を含むアンテナアレイと、
前記Ｎ個のアンテナ素子に接続され、前記Ｍ個の原信号の前記少なくともＮ個の異なる総和を復号する符号逆拡散器であって、前記Ｎ個の異なる総和の各１つは、関連付けられた前記Ｍ個の原信号のｋ個の異なる総和を与えるｋ個の符号を含むことと、
前記符号逆拡散器に接続され、前記Ｍ個の原信号の少なくともｋＮ個の異なる総和を受け取る受信機アセンブリと、
前記受信機アセンブリに接続され、前記Ｍ個の原信号の前記少なくともｋＮ個の異なる総和を含む混合行列を形成するブラインド信号分離プロセッサであって、前記混合行列は、最大でｋＮに等しい階数をもち、前記ブラインド信号分離プロセッサは、前記混合行列から所望の原信号を分離することと
を備えることを特徴とする通信装置。
【請求項２】
ｋＮ＝Ｍであることを特徴とする請求項１に記載の通信装置。
【請求項３】
Ｋ＜ｋＮとして、前記混合行列の前記階数は、Ｋであり、前記ブラインド信号分離プロセッサは、前記混合行列から前記Ｍ個の原信号のうちのＫ個を分離することを特徴とする請求項１に記載の通信装置。
【請求項４】
ｋＮ＞Ｍであることを特徴とする請求項１に記載の通信装置。
【請求項５】
前記Ｎ個のアンテナ素子は、Ｎ個の相関アンテナ素子を含むことを特徴とする請求項１に記載の通信装置。
【請求項６】
前記Ｎ個の相関アンテナ素子は、前記アンテナアレイがフェーズドアレイを形成するように、Ｎ個のアクティブアンテナ素子を含むことを特徴とする請求項５に記載の通信装置。
【請求項７】
前記Ｎ個の相関アンテナ素子は、前記アンテナアレイがスイッチビームアンテナを形成するように、少なくとも１個のアクティブアンテナ素子と、最大でＮ−１個のパッシブアンテナ素子とを含むことを特徴とする請求項５に記載の通信装置。
【請求項８】
前記Ｎ個のアンテナ素子のうちの少なくとも２個は、相関しており、かつ異なる偏波を有することを特徴とする請求項１に記載の通信装置。
【請求項９】
前記異なる偏波は、互いに直交することを特徴とする請求項８に記載の通信装置。
【請求項１０】
Ｎ個のアンテナビームのうちの少なくとも１個の仰角を選択的に変更して、少なくとも１個の追加のアンテナビームを生成し、その結果、前記Ｍ個の原信号の少なくとも１個の追加の異なる総和が受信されるようにする仰角コントローラをさらに備え、前記復号器は、前記Ｍ個の原信号の前記少なくとも１個の追加の異なる総和を復号し、各追加の異なる総和は、関連付けられた前記Ｍ個の原信号のｋ個の異なる総和を与えるｋ個の符号を含み、前記受信機アセンブリは、前記少なくとも１個の追加のアンテナビームを使用して前記Ｍ個の原信号のｋＮ個の異なる総和の前記少なくとも１個の追加も受信し、前記ブラインド信号分離プロセッサは、前記Ｍ個の原信号のｋＮ個の異なる総和の前記少なくとも１個の追加を含むように前記混合行列を形成することを特徴とする請求項１に記載の通信装置。
【請求項１１】
前記仰角コントローラは、Ｎ個のアンテナパターンの仰角を選択的に変更し、その結果、Ｎ個の追加のアンテナパターンが、前記Ｍ個の原信号のＮ個の追加の異なる総和を受信するために生成され、前記混合行列の前記階数は、２ｋＮに等しいことを特徴とする請求項１０に記載の通信装置。
【請求項１２】
前記仰角コントローラは、前記Ｎ個のアンテナ素子に対してＰ個の領域にセグメント化され、各領域は、前記Ｎ個のアンテナパターンの前記仰角を変更するために独立に制御され、その結果、Ｎ個の追加のアンテナパターンが、前記Ｍ個の原信号のＮ個の追加の異なる総和を受信するために生成され、前記混合行列の前記階数は、２ｋＰＮに等しいことを特徴とする請求項１０に記載の通信装置。
【請求項１３】
前記アンテナアレイは、接地平面を含み、前記Ｎ個のアンテナ素子は、
前記接地平面に隣接するアクティブアンテナ素子と、
前記接地平面に隣接する複数のパッシブアンテナ素子であって、各パッシブアンテナ素子は、
上側半分および対応する下側半分と、
前記上側半分を前記接地平面に接続し、アンテナパターンを方位角について変更する上側可変リアクティブ負荷とを有することと、を含み、
前記仰角コントローラは、前記下側半分を前記接地平面に接続する個々の下側可変リアクティブ負荷を各パッシブアンテナ素子ごとに備え、前記Ｎ個のアンテナパターンが、前記下側可変リアクティブ負荷の少なくとも１個を調整することによって仰角について動かされることを特徴とする請求項１０に記載の通信装置。
【請求項１４】
前記アンテナアレイは、前記Ｎ個のアンテナ素子に隣接する接地平面を含み、前記仰角コントローラは、前記接地平面に結合される制御可能ＲＦチョークを含み、前記Ｎ個のアンテナパターンは、前記ＲＦチョークを制御することによって仰角について動かされることを特徴とする請求項１０に記載の通信装置。
【請求項１５】
前記アンテナアレイは、少なくともＮ個のアンテナビームを形成し、前記通信装置は、ＮおよびＭは２より大きいとして、前記少なくともＮ個のアンテナビームを選択的に形成するために前記アンテナアレイに接続されるコントローラをさらに含み、前記ブラインド信号分離プロセッサはまた、
前記Ｍ個の原信号の前記異なる総和が、相関しているかまたは統計的に独立しているかを決定し、どちらでもない場合には、
前記混合行列内の相関しておらずかつ統計的に独立もしていない前記Ｍ個の原信号の前記異なる総和を置き換えるために、前記コントローラと協力して、前記Ｍ個の原信号の新しい異なる総和を受信する異なるビームを形成することを特徴とする請求項１に記載の通信装置。
【請求項１６】
前記受信機アセンブリは、Ｎ個のレイク受信機を含み、各レイク受信機は、Ｐ個のフィンガを有し、それらに接続される前記それぞれのアンテナ素子によって受信される前記Ｍ個の原信号の前記Ｎ個の異なる総和の各１つごとにＰ個の異なるマルチパス成分を生成し、前記ブラインド信号分離プロセッサは、前記混合行列を形成する前記Ｎ個のレイク受信機に接続され、前記混合行列は、前記Ｍ個の原信号の前記少なくともＮ個の異なる総和の少なくともｋＰＮ個までのマルチパス成分を含み、前記混合行列は、最大でｋＰＮに等しい階数をもつことを特徴とする請求項１５に記載の通信装置。
【請求項１７】
前記ブラインド信号分離プロセッサは、主成分分析（ＰＣＡ）、独立成分分析（ＩＣＡ）、および特異値分解（ＳＶＤ）の少なくとも１つに基づいて、前記混合行列から前記所望の原信号を分離することを特徴とする請求項１に記載の通信装置。
【請求項１８】
Ｍ個の信号源によって与えられる原信号を分離する通信装置を動作させる方法であって、前記通信装置は、アンテナアレイと、前記アンテナアレイに接続される符号復号器と、前記符号復号器に接続される受信機アセンブリと、前記受信機アセンブリに接続されるブラインド信号分離プロセッサとを備え、前記方法は、
Ｎ個のアンテナ素子を含む前記アンテナアレイにおいて、前記Ｍ個の原信号の少なくともＮ個の異なる総和を受信するステップと、
前記Ｍ個の原信号の前記少なくともＮ個の異なる総和を前記復号器によって復号するステップであって、前記Ｎ個の異なる総和の各１つは、関連付けられた前記Ｍ個の原信号のｋ個の異なる総和を与えるｋ個の符号を含むことと、
前記Ｍ個の原信号の前記少なくともｋＮ個の異なる総和を前記受信機アセンブリに与えるステップと、
前記Ｍ個の原信号の前記少なくともｋＮ個の異なる総和を前記ブラインド信号分離プロセッサによって処理するステップであって、前記処理は、
前記Ｍ個の原信号の前記少なくともｋＮ個の異なる総和を含み、最大でｋＮに等しい階数をもつ混合行列を形成するステップと、
前記混合行列から所望の原信号を分離するステップとを含むことと
を備えることを特徴とする方法。
【請求項１９】
ｋＮ＝Ｍであることを特徴とする請求項１８に記載の方法。
【請求項２０】
Ｋ＜ｋＮとして、前記混合行列の前記階数は、Ｋであり、前記ブラインド信号分離プロセッサは、前記混合行列から前記Ｍ個の原信号のうちのＫ個を分離することを特徴とする請求項１８に記載の方法。
【請求項２１】
ｋＮ＞Ｍであることを特徴とする請求項１８に記載の方法。
【請求項２２】
前記Ｎ個のアンテナ素子は、Ｎ個の相関アンテナ素子を含むことを特徴とする請求項１８に記載の方法。
【請求項２３】
前記Ｎ個の相関アンテナ素子は、前記アンテナアレイがフェーズドアレイを形成するように、Ｎ個のアクティブアンテナ素子を含むことを特徴とする請求項２２に記載の方法。
【請求項２４】
前記Ｎ個の相関アンテナ素子は、前記アンテナアレイがスイッチビームアンテナを形成するように、少なくとも１個のアクティブアンテナ素子と、最大でＮ−１個のパッシブアンテナ素子とを含むことを特徴とする請求項２２に記載の方法。
【請求項２５】
前記Ｎ個のアンテナ素子のうちの少なくとも２個は、相関しており、かつ異なる偏波を有することを特徴とする請求項１８に記載の方法。
【請求項２６】
前記通信装置は、Ｎ個のアンテナビームのうちの少なくとも１つの仰角を選択的に変更して、少なくとも１つの追加のアンテナビームを生成し、その結果、前記Ｍ個の原信号の少なくとも１個の追加の異なる総和が受信されるようにする仰角コントローラをさらに備え、前記復号器は、前記Ｍ個の原信号の前記少なくとも１個の追加の異なる総和を復号し、各追加の異なる総和は、関連する前記Ｍ個の原信号のｋ個の異なる総和を与えるｋ個の符号を含み、前記受信機アセンブリは、前記少なくとも１つの追加のアンテナビームを使用して前記Ｍ個の原信号のｋＮ個の異なる総和の前記少なくとも１個の追加も受信し、前記ブラインド信号分離プロセッサは、前記Ｍ個の原信号のｋＮ個の異なる総和の前記少なくとも１個の追加を含むように前記混合行列を形成することを特徴とする請求項１８に記載の方法。
【請求項２７】
前記仰角コントローラは、Ｎ個のアンテナパターンの仰角を選択的に変更し、その結果、Ｎ個の追加のアンテナパターンが、前記Ｍ個の原信号のＮ個の追加の異なる総和を受信するために生成され、前記混合行列の前記階数は、２ｋＮに等しいことを特徴とする請求項２６に記載の方法。
【請求項２８】
前記アンテナアレイは、少なくともＮ個のアンテナビームを形成し、前記通信装置は、ＮおよびＭは２より大きいとして、前記少なくともＮ個のアンテナビームを選択的に形成するために前記アンテナアレイに接続されるコントローラをさらに備え、前記ブラインド信号分離プロセッサはまた、
前記Ｍ個の原信号の前記異なる総和が、相関しているかまたは統計的に独立しているかを決定し、どちらでもない場合には、
前記混合行列内の相関しておらずかつ統計的に独立もしていない前記Ｍ個の原信号の前記異なる総和を置き換えるために、前記コントローラと協力して、前記Ｍ個の原信号の新しい異なる総和を受信する異なるビームを形成することを特徴とする請求項１８に記載の方法。
【請求項２９】
前記受信機アセンブリは、Ｎ個のレイク受信機を含み、各レイク受信機は、Ｐ個のフィンガを含み、それらに接続される前記それぞれのアンテナ素子によって受信される前記Ｍ個の原信号の前記Ｎ個の異なる総和の各１つごとにＰ個の異なるマルチパス成分を生成し、前記ブラインド信号分離プロセッサは、前記混合行列を形成する前記Ｎ個のレイク受信機に接続され、前記混合行列は、前記Ｍ個の原信号の前記少なくともＮ個の異なる総和の少なくともｋＰＮ個までのマルチパス成分を含み、前記混合行列は、最大でｋＰＮに等しい階数をもつことを特徴とする請求項２８に記載の方法。
【請求項３０】
前記ブラインド信号分離プロセッサは、主成分分析（ＰＣＡ）、独立成分分析（ＩＣＡ）、および特異値分解（ＳＶＤ）の少なくとも１つに基づいて、前記混合行列から前記所望の原信号を分離することを特徴とする請求項１８に記載の方法。
【発明の詳細な説明】
【技術分野】
【０００１】
本発明は、信号処理の分野に関し、より詳細には、ブラインド信号分離（ＢＳＳ：blind signal separation）技法を使用して原信号（source signal）の混合から所望の原信号を分離することに関する。
【背景技術】
【０００２】
ブラインド信号分離（ＢＳＳ）は、合成信号から原信号を再生することを含み、合成信号は、原信号の混合を含む。分離はしばしば、信号、信号源、および伝播チャネルが信号に与える影響についての限られた情報を用いて実行されるので、「ブラインド」である。
【０００３】
一例は、よく知られた「カクテルパーティ」効果であり、パーティ会場にいる人は、会場内のすべての声の組合せの中から単一の声だけを聴き分けることができる。ブラインド信号源分離（blind source separation）は、特に、多くの周波数帯域が同じスペクトル内にしばしば共存し、数多くの無線周波のエミッタ(放射源)で入り乱れるセルラおよびパーソナル無線通信装置に適用できる。同一チャネルエミッタ（co-channel emitter）の問題は、Ｂｌｕｅｔｏｏｔｈおよびその他のパーソナルエリアネットワークなどの低出力電力で認可不要な無線技術の発展に伴い、今後数年はひたすら悪化することが予想される。
【０００４】
一般に使用されるブラインド信号分離技法は、主成分分析（ＰＣＡ：principal component analysis）、独立成分分析（ＩＣＡ：independent component analysis）、および特異値分解（ＳＶＤ：singular value decomposition）の３つである。ＰＣＡは、原信号の１次および２次の積率（moment statistics）を含み、原信号の信号対雑音比が高い場合に使用される。さもなければ、ＰＣＡ処理の後に原信号の３次および４次の積率が用いられる、ＩＣＡが使用される。ＳＶＤを使用することもでき、原信号をそれらの固有値に基づいて原信号の混合から分離する。
【０００５】
適用されるブラインド信号分離技法に関係なく、様々な信号源からの原信号の異なる混合を受信するために、複数のセンサが使用される。各センサは、原信号の固有の和である原信号の混合を、出力する。一般に、チャネル係数（channel coefficient）および元の原信号はともに、受信機に知られていない。信号の固有の和は、混合行列（mixing matrix）を生成する（populate）ために使用される。その後、原信号の混合から所望の原信号を分離するため、適切なブラインド信号分離技法が、混合行列に適用される。
【０００６】
例えば、特許文献１は、ＩＣＡを使用する、原信号の混合からの独立な原信号の分離を開示している。複数のセンサが、原信号の混合を受信し、プロセッサが、経時的に原信号の混合のサンプルを採取し、データセットを生成するために、各サンプルをデータベクトルとして保存する。各センサは、原信号の固有の和である原信号の混合を出力する。ＩＣＡモジュールは、原信号の混合内のその他の信号から独立な原信号を分離するために、データベクトルの独立成分分析を実行する。
【０００７】
センサは、互いに空間的に引き離され、プロセッサは、データセットを生成するために、それぞれのセンサごとにただ１つのデータベクトルを生成する。特許文献１はまた、データセットを生成するために、センサの数Ｎが信号源の数Ｍ以上であること、すなわち、Ｎ≧Ｍであることも開示している。そのような実装に伴う問題は、信号源の数Ｍが増加した場合、センサの数Ｎも増加することである。小型ポータブル通信装置は、センサの数Ｎが大きいと、センサ用に利用できる十分な容積を持っていない。ユーザにとって、センサを通信装置の外側に取り付けることは問題である。
【０００８】
特許文献２は、ブラインド信号分離を使用して信号を分離するための別の方法を開示している。開示されたブラインド信号分離技法は、干渉エミッタとガウス雑音の両方に起因する平均２乗誤差を最小化するハイブリッド行列−ペンシルアダプティブアレイ重み（hybrid matrix-pencil adaptive array weight）を用いて、混合行列を形成する。ハイブリッド重みは、信号対干渉プラス雑音比（signal to interference plus noise ratio）を最大化する。特許文献１と同様に、センサはまた、互いに空間的に引き離され、混合行列を生成するために、センサの数Ｎは、信号源の数Ｍ以上である。さらに、各センサは、単一の入力を混合行列に提供し、ポータブル通信装置のより大きな容積をもたらす。
【０００９】
【特許文献１】米国特許第６，７９９，１７０号明細書
【特許文献２】米国特許第６，９３１，３６２号明細書
【特許文献３】米国特許出願公開第１１／０６５，７５２号明細書
【特許文献４】米国特許第６，４７３，０３６号明細書
【発明の開示】
【発明が解決しようとする課題】
【００１０】
上記の背景に鑑み、本発明の目的は、所望の原信号が原信号の混合から分離され得るように、ブラインド信号分離技法によって使用される原信号の混合を受信するコンパクトなアンテナアレイを備えた通信装置を提供することにある。
【課題を解決するための手段】
【００１１】
本発明による上記およびその他の目的、特徴、および利点は、Ｍ個の信号源によって提供される原信号を分離する通信装置によって実現される。この通信装置は、Ｍ個の原信号の異なる総和を受信するアンテナアレイを備える。受信機または受信機アセンブリは、アンテナアレイに接続され、ブラインド信号分離プロセッサが、混合行列を形成するために、受信機に接続される。混合行列は、アンテナアレイによって受信されたＭ個の原信号の異なる総和を含む。その後、ブラインド信号分離プロセッサは、所望の原信号を混合行列から分離する。
【００１２】
Ｍ個の原信号の異なる総和を混合行列に提供するために、空間的に引き離されたセンサを使用する代わりに、コンパクトなアンテナアレイを使用することができる。ポータブル通信装置の場合、アンテナアレイはコンパクトさを保ちながら、２つ以上の入力を混合行列に提供するので、ブラインド信号分離技法を使用することができる。
【００１３】
特に、アンテナアレイに追加のアンテナ素子を付け加える必要なく、混合行列をより大きく生成するために、信号分割（signal splitting）を使用することができる。アンテナアレイは、Ｍ個の原信号の少なくともＮ個の異なる総和を受信するＮ個のアンテナ素子を備えることができる。符号逆拡散器が、Ｍ個の原信号の少なくともＮ個の総和を復号するＮ個のアンテナ要素に接続され得る。Ｎ個の異なる総和の各々は、関連付けられたＭ個の原信号のｋ個の異なる総和を与えるｋ個の符号を含む。
【００１４】
受信機アセンブリが、Ｍ個の原信号の少なくともｋＮ個の異なる総和を受信する符号逆拡散器に接続される。ブラインド信号分離プロセッサは、Ｍ個の原信号の少なくともｋＮ個の異なる総和を含む混合行列を形成し、およびこの混合行列から所望の信号を分離する受信機アセンブリに接続される。混合行列は、最大でｋＮに等しい階数をもつことができる。
【００１５】
アンテナ素子の数を、符号の数にアンテナ素子の数を掛けたものが原信号の数に等しくなるように、すなわち、ｋＮ＝Ｍとなるように選択することができる。原信号の数を符号の数にアンテナ素子の数を掛けたものより多くすることも、すなわち、ｋＮ＞Ｍとすることもできる。別の構成は、Ｋ＜ｋＮとして、混合行列の階数がＫに等しくなる場合で、ブラインド信号分離プロセッサは、Ｍ個の原信号のうちのＫ個を混合行列から分離する。
【００１６】
Ｎ個のアンテナ素子は、Ｎ個の相関アンテナ素子を含むことができる。Ｎ個の相関アンテナ素子は、アンテナアレイがフェーズドアレイを形成するように、Ｎ個のアクティブアンテナ素子（active antenna element）を含むことができる。Ｎ個の相関アンテナ素子は、アンテナアレイがスイッチビームアンテナ（switched beam antenna）を形成するように、少なくとも１個のアクティブアンテナ素子と最大でＮ−１個のパッシブアンテナ素子（passive antenna element）とを含むこともできる。
【００１７】
Ｍ個の原信号の異なる総和を受信する場合、パターンとビームとの間に相違が生じることがある。１つの場合では、アンテナアレイは、Ｍ個の原信号の少なくともＮ個の異なる総和を受信するために、少なくともＮ個のアンテナビームを形成することができる。このとき、各アンテナビームは、最大利得ポイントから３ｄＢの低下点をもち、信号経路の少なくとも１つの方向で信号除去（signal rejection）を可能にする。別の場合では、アンテナアレイは、Ｍ個の原信号のＮ個の異なる総和の少なくとも１つを受信するために、少なくとも１つのアンテナパターンを形成することができる。少なくとも１つのアンテナパターンは、最大利得ポイントから３ｄＢの低下点を実質的にはもたず、信号経路のどの方向でも信号除去をもたらさない。
【００１８】
Ｍ個の原信号の各総和は線形である。ブラインド信号分離プロセッサは、主成分分析（ＰＣＡ）、独立成分分析（ＩＣＡ）、および特異値分解（ＳＶＤ）の少なくとも１つに基づいて、混合行列から所望の原信号を分離することができる。
【００１９】
この符合実施形態に対する１つの機能強化はまた、追加のアンテナ要素を加える必要なしに、混合行列によって使用される追加の信号和を受信するアレイ偏向（array deflection）を含む。アレイ偏向は、方位角および／または仰角方向におけるアンテナパターンの制御を含む。
【００２０】
この符合実施形態に対するさらに別の機能強化は、経路選択（path selection）を含む。経路選択は、混合行列を生成するために使用される原信号の総和のすべてが相関するように（１次および２次の積率）、および／または統計的に独立するように（３次および４次の積率）、実行される。アンテナビームが選択的に形成され、それによって、相関していない、および／または統計的に独立していない総和を置き換えるための、原信号の新しい総和を混合行列に提供するために、入射信号が選択的に選択される。
【００２１】
本発明の別の態様は、Ｍ個の信号源によって提供された原信号を分離するための上で定義されたような通信装置を操作する方法に関する。
【発明を実施するための最良の形態】
【００２２】
これ以降、本発明の好ましい実施形態が示された添付の図面を参照しながら、本発明の好ましい実施形態がより完全に説明される。しかし、多くの異なる形態で本発明を実施することができ、本明細書で説明される実施形態に限定されるものと解釈されるべきではない。むしろ、これらの実施形態は、本開示が徹底的かつ完全なものとなり、本発明の範囲を当業者に十分に伝えるように提供される。全体にわたって、同じ番号は、同じ要素を参照し、プライム付き表記は、代替的な実施形態における類似要素を指示するために使用される。
【００２３】
通信ネットワークには、特定の通信装置に向けられた原信号が存在し、同一周波数帯域内で動作する他の通信装置に向けられた原信号も存在する。通信用には使用されないが、通信装置によって同様に受信される信号を生成する雑音源も、存在する。
【００２４】
対象とする原信号の復号を容易にするため、ブラインド信号分離が、通信装置によって受信された信号を分離するために使用される。上で述べられたように、「ブラインド」という用語は、理想的な場合、信号の特性についての情報（knowledge）、または信号と通信チャネルとの間の相互作用によって生じた変形についての情報なしに、信号が分離され得るという事実を指している。実際の実装では、利用可能な情報はしばしば活用される。この場合、信号分離は、セミブラインドである。
【００２５】
ブラインド信号分離に分類される３つの一般に使用される技法は、主成分分析（ＰＣＡ）、独立成分分析（ＩＣＡ）、および特異値分解（ＳＶＤ）である。信号がいくつかの測定可能な特性について独立である限り、そしてそれらの信号の和が互いに線形独立であるならば、独立または所望の原信号を原信号の混合から分離するために、これらのブラインド信号分離技法の１つまたは複数を使用することができる。測定可能な特性はしばしば、信号の１次、２次、３次、または４次の積率のいくつかの組合せである。
【００２６】
ＰＣＡは、信号を白色化し、１次および２次の積率を使用し、相関特性に基づいてデータセットを回転させる。原信号の信号対雑音比が高い場合、信号分離プロセスは、ＰＣＡまでで終りにすることができる。
【００２７】
原信号の信号対雑音比が低い場合、原信号の３次および４次の積率を含む統計的属性に基づいて、ＩＣＡが原信号を分離する。原信号はガウシアンであるので、それらの３次および４次の積率は、１次および２次の積率に従属する。ＩＣＡおよびＰＣＡの代替として、ＳＶＤが、原信号をそれらの固有値に基づいて原信号の混合から分離する。
【００２８】
典型的なシナリオが、図１に示されており、複数の信号源２０が、原信号２２を送信する。原信号２２は、個々の信号源２０に関連付けられた生成アンテナビーム２４に基づいた方向に送信される。複数の信号源２０は、第１の信号源２０（１）から第Ｍの信号源２０（Ｍ）を含む。同様に、それぞれの原信号は、２２（１）〜２２（Ｍ）で参照され、対応するアンテナビームは、２４（１）〜２４（Ｍ）で参照される。無指向性アンテナパターンまたは指向性アンテナパターンの形でのより単純な実装が、通信ネットワークではしばしば利用される。
【００２９】
通信装置３０用のアンテナアレイ３２は、信号源２０から原信号２２の線形組合せ（混合）を受信する。アンテナアレイ３２は、複数のアンテナ素子３４を備え、各アンテナ素子は、信号源２０からの原信号２２の少なくとも１つの線形組合せ（混合）を提供する。アンテナ素子３４は、第１のアンテナ素子３４（１）から第Ｎのアンテナ素子３４（Ｎ）を含む。
【００３０】
受信原信号２２（１）〜２２（Ｍ）は、最初に混合行列３６に形成される。通信装置３０は、混合行列内の原信号を分離する分離行列（separation matrix）３８を決定するために、ブラインド信号分離技法を使用する。分離信号は、参照符号３９によって表される。
【００３１】
通信装置３０は、受信原信号の集約または合成をそれらの特性についての情報なしにサンプリングすることによって、アンテナアレイ３２によって受信された原信号の混合を一緒に抽出する。各アンテナ素子３４の出力は、チャネルの、すなわち信号源２０の出力とアンテナ素子３４の出力の間の伝播経路のインパルス応答を用いて畳み込まれた後の原信号２２の総和に、加法的ガウス雑音を加えたものとしてモデル化される。
【００３２】
図２を参照しながら、Ｍ個の信号源２０（１）〜２０（Ｍ）によって与えられる原信号を分離するための通信装置３０がより詳細に説明される。アンテナアレイ３２は、Ｍ個の原信号の少なくともＮ個までの異なる総和を受信するＮ個のアンテナ素子３４（１）〜３４（Ｎ）を含み、ここでＮおよびＭは１よりも大きい。アンテナアレイ３２は、どれか特定の構成に限定されない。アンテナアレイ３２は、１つまたは複数のアンテナ素子３４を含むことができる。アンテナ素子３４は、アンテナアレイ３２が、以下より詳細に説明されるように、例えば、フェーズドアレイまたはスイッチビームアンテナを形成するように構成されることができる。
【００３３】
送受信機４０は、アンテナアレイ３２にその下流で接続され、Ｍ個の原信号２２の少なくともＮ個までの異なる総和を受け取る。プロセッサ４２は、送受信機４０の下流に存在する。プロセッサ４２は、送受信機４０から切り離して図示されているが、送受信機内に含めることもできる。送受信機４０によって受信されるＭ個の原信号２２の異なる総和は、混合行列３６を生成するために使用される。混合行列３６は、その後、プロセッサ４２内の１つまたは複数のブラインド信号分離処理モジュール４４、４６、４８によって処理される。
【００３４】
ブラインド信号分離処理モジュールは、ＰＣＡモジュール４４と、ＩＣＡモジュール４６と、ＳＶＤモジュール４８とを含む。これらのモジュール４４、４６、４８は、ブラインド信号分離プロセッサ４９の部分として構成されることができる。ＰＣＡモジュール４４は、受信原信号の異なる総和の１次および２次の積率に基づいて動作し、一方、ＩＣＡモジュール４６は、同じ信号の３次および４次の積率に基づいて動作する。ＳＶＤモジュール４８は、受信原信号の異なる総和の固有値に基づいて、信号分離を実行する。
【００３５】
混合行列３６内の原信号を分離するため、ＰＣＡモジュール４４によって最初に実行される相関処理は、原信号の異なる総和についての初期分離行列３８（１）を決定し、その後、ＩＣＡモジュール４６が、強化分離行列３８（２）を決定する。信号がＳＶＤモジュール４８によって分離される場合、混合行列３６内の受信原信号の異なる総和を分離するため、分離行列３８（３）も決定される。
【００３６】
各個々の分離行列３８（１）〜３８（３）からの分離信号は、参照番号３９によって表される。その後、分離信号３９は、どの信号が対象信号であり、どの信号が干渉であるかを決定するため、信号分析モジュール５０による信号分析を受ける。アプリケーション依存処理モジュール５２は、信号分析モジュール５０からの信号出力を処理する。
【００３７】
どの信号が対象信号であるかの決定は、復号された最終信号を常に必要としなくてもよい。例えば、アプリケーションは、干渉を識別し、それらを受信原信号の異なる総和から減算し、その後、低減された信号を波形復号器（waveform decoder）に供給することを要求することがある。この場合、対象信号は、最終的には除去されることになる信号である。
【００３８】
ＰＣＡモジュール４４に供給される情報は、信号ｘjの固有の和である。Ｍ個の独立な成分からなるＮ個の線形混合ｘ1，．．．，ｘNが観測されることが仮定される。
【００３９】
【数１】
2008517491.tif 000003
【００４０】
一般に、チャネル係数ａjkと元の信号ｓkは両方とも、送受信機４０に知られていない。行列表記により、上記の等式の組は、ｘ＝Ａｓとコンパクトに書き表されることができ、ここで、Ａは混合行列である。統計的モデルｘ＝Ａｓは、ＩＣＡモデルとしても知られている。従来の技法は、チャネルの逆行列（inverse）を求めることを試みる：ｓ＝Ａ-1ｘ。
【００４１】
ＩＣＡモジュール４６は、分離行列Ｗと、ｙ＝Ｗ（Ａｓ）＝Ｗｘとを決定する。ベクトルｙは、スケーリングが変更された次数が未知のｓのサブセットである。必ずしもすべての信号が分離可能ではない場合、より一般的な形式は、ｙ＝Ｗ（Ａｓ）＋Ｗｎ＝Ｗｘ＋Ｗｎであり、ここで、追加のｎの項は、識別不能な信号源に起因する残留雑音である。
【００４２】
ＩＣＡモデルは生成的モデルである。それは、成分ｓkを混合する処理によって観測データがどのように生成されるかを、ＩＣＡモデルが説明することを意味する。独立成分は潜在的変数であり、それは、独立成分が直接には観測され得ないことを意味する。また、混合行列Ａも未知であると仮定される。観測されるすべては、ランダムベクトルｘだけであり、Ａおよびｓは、ｘに基づいて推定される。
【００４３】
ＩＣＡのスタートポイントは、成分ｓkが統計的に独立であることの仮定にある。さらに、独立成分ｓkが多くても１つの成分しかガウス分布に従わないことが仮定される。１つの信号しかガウス分布に従わないという制限は、ガウス信号の３次の積率は０であり、４次の積率はガウス信号の間では区別不能であるという事実による。
【００４４】
簡略化のため、未知の混合行列Ａは、正方行列（square）であると仮定される。したがって、独立成分の数は、観測される混合の数と等しい。しかし、この仮定を時には緩和することができる。信号ｓkがいくつかの測定可能な特性で統計的に独立である限り、分離行列Ｗを決定することができる。
【００４５】
混合行列Ａの階数は、いくつの信号が実際に分離され得るかを決定する。例えば、階数４をもつ混合行列は、４個の原信号が分離され得ることを意味する。理想的には、混合行列Ａの階数は、信号源の数Ｍと少なくとも等しくあるべきである。階数が大きくなるほど、分離され得る信号も多くなる。信号源の数Ｍが増加するにつれて、必要とされるアンテナ素子の数Ｎも増加する。「背景技術」セクションで説明された特許文献１および２はともに、アンテナ素子の数Ｎが信号源の数Ｍ以上、すなわちＮ≧Ｍであり、それ以外の場合は、信号を分離するためにブラインド信号分離以外の技法が使用されることを開示している。
【００４６】
信号の線形独立和を生成する業界標準は、Ｎ個の無相関センサ、すなわち、互いに少なくとも波長分だけ離れて配置されたセンサを使用することである。波長は、通信装置３０の動作周波数に基づく。Ｎ個のセンサは、空間的には無相関であるが、偏波および角度的には相関している。Ｎ個の無相関センサは、線形独立信号のＮ個の和を提供し、各センサは、混合行列Ａへの単一の入力を提供する。
【００４７】
混合行列Ａ用に原信号の線形独立和を生成する異なる手法のロードマップまたはアウトラインが、図３を参照しながら最初に説明される。短い序文の後、各手法が、以下でより詳細に説明される。
【００４８】
ロードマップの第１のセクションは、アンテナ構成を扱う。ブロック１００は、無相関センサを表し、各センサは、単一の入力を混合行列Ａに提供する。ブロック１０２は、無相関アンテナアレイを表し、アレイは、混合行列Ａを生成するために複数の入力を提供する。ブロック１０４も、無相関アンテナアレイを表し、アンテナ素子の一部は相関し、アンテナ素子は、混合行列Ａを生成するために異なる偏波を有する。ブロック１００、１０２、１０４によって扱われるセンサとアンテナアレイの異なる組合せは、ブロック１０６で組み合わされ、ブロック１１６でさらに混合行列を生成する。
【００４９】
ロードマップの第２のセクションは、第１のセクションで提供されたアンテナ構成に対する機能強化を扱う。機能強化は、さらに混合行列Ａを生成するために、原信号の追加または置換された総和が集められるように行われる。ブロック１０８は、原信号の追加の総和を受信するためにアンテナパターンの仰角が変更されるアレイ偏向を含む。ブロック１０６の組合せのどれか１つを、アレイ偏向ブロック１０８で使用することができる。
【００５０】
ブロック１１０で、混合行列Ａを生成するために使用される原信号の総和のすべてが、相関するように（１次および２次の積率）、および／または統計的に独立する（３次および４次の積率）ように、経路選択が実行される。言い換えると、相関していない、および／または統計的に独立でない総和を置き換えるための、原信号の新しい総和を受信するために、入射信号が選択的に選択される。ブロック１１０は、ブロック１０６、１０８の組合せのどれか１つによって供給されることができる。ブロック１０８、１１０は、混合行列ブロック１１６に直接供給されることができる。
【００５１】
ロードマップの第３のセクションは、ブロック１１６でさらに混合行列Ａを生成する信号分割を扱う。例えば、ブロック１１２は、拡散符号を使用して、異なる総和信号を分割する。総和信号がｋ個の拡散符号を有する場合、特定の総和信号は、それに関連付けられたｋ個の総和信号を提供するために、処理されることができる。拡散符号は、ブロック１０６、１０８、１１０の出力と組み合わせて適用されることができる。ブロック１１４は、さらに混合行列を生成するため、異なる総和信号を同相（Ｉ）成分と直交（Ｑ）成分とに分割する。したがって、ＩおよびＱ成分は、消失行列（ｍｉｓｓｉｎｇ  ｍａｔｒｉｘ）のための乗数２として振る舞い、ブロック１０６、１０８、１１０、１１２の出力と組み合わせて適用されることができる。
【００５２】
ロードマップの最後のセクションは、ブロック１１６で形成される混合行列Ａである。ロードマップに示されるように、混合行列Ａは、上で説明されたブロックのどれか１つに基づいて、原信号の異なる総和を用いて生成されることができる。第１のセクションのアンテナアレイ構成の利点は、混合行列Ａを生成するために、コンパクトなアンテナアレイが形成され得ることにある。第２および第３のセクションのアンテナアレイ構成の利点は、原信号の数Ｍより少ないＮ個のアンテナ素子が、原信号のＭ個またはより多くの総和を用いて混合行列を生成するために使用され得ることにある。
【００５３】
ロードマップで説明されたアンテナ構成に鑑みて、Ｍ個の原信号の少なくともＮ個の異なる総和を受信するＮ個の相関アンテナ素子を備えるアンテナアレイが説明され、ここでＮおよびＭは１より大きい。一実施形態では、アンテナアレイは、図４に示されるようなスイッチビームアンテナ１４０である。
【００５４】
スイッチビームアンテナアレイ１４０は、指向性アンテナパターンと無指向性アンテナパターンとを含む複数のアンテナパターンを生成する。スイッチビームアンテナアレイ１４０は、１つのアクティブアンテナ素子１４２と、１対のパッシブアンテナ素子１４４とを含む。アクティブアンテナ素子１４２およびパッシブアンテナ素子１４４の実際の数は、対象とされる応用例に応じて変化する。スイッチビームアンテナアレイのより詳細な説明のため、特許文献３が参照される。この特許出願は、本発明の譲受人に譲渡され、同出願の内容は、その全体が参照により本明細書に組み込まれる。
【００５５】
各パッシブアンテナ素子１４４は、上側半分１４４ａと下側半分１４４ｂとを含む。パッシブアンテナ素子１４４の上側半分１４４ａは、リアクティブ負荷（reactive load）１４８を介して接地平面１４６に接続される。リアクティブ負荷１４８は、バラクタ（varactor）、伝送線路、またはスイッチを使用することによって、キャパシタンス対インダクタンスが変更可能な、可変リアクタンスである。リアクティブ負荷１４８を変化させることによって、放射パターンを変化させることができる。２つのパッシブアンテナ素子１４４が存在するので、４つの異なるアンテナパターンを形成することができる。
【００５６】
３つのアンテナパターンを、信号ｘjの固有の和を受信するために使用することができる。第４のパターンは、その他の３つの線形組合せであり、そのため、混合行列Ａへの入力としては使用可能ではない。その結果、３つのアンテナ素子を利用して、信号ｘjの３つの固有の和が、混合行列Ａに入力される。スイッチビームアンテナの利点は、３つの素子１４２、１４４を使用することによって、階数３の混合行列がサポートされ得ることにある。
【００５７】
別の実施形態では、図５に示されるように、アンテナアレイは、フェーズドアレイ１６０を形成するように、Ｎ個の相関アクティブアンテナ素子を備える。フェーズドアレイ１６０は、複数のアクティブアンテナ素子１６２と、アクティブアンテナ素子に結合された複数の重み制御構成要素１６４とを備える。重み制御構成要素１６４は、合成ビームを形成するために、受信信号の振幅および／または位相を調整する。
【００５８】
スプリッタ／コンバイナ１６６およびコントローラ１６８が、重み制御構成要素１６４に接続される。フェーズドアレイ１６０のより詳細な説明のため、特許文献４が参照される。この特許は、本発明の譲受人に譲渡され、同特許の内容は、その全体が参照により本明細書に組み込まれる。
【００５９】
アクティブアンテナ素子１６２の数は、同じ階数をもつ混合行列Ａをサポートする。信号源の数Ｍがアクティブアンテナ素子１６２の数Ｎに等しい、すなわちＭ＝Ｎであるとしても、アクティブアンテナ素子１６２は空間的および偏波的に相関しているので、波長より大きく離して配置される無相関アンテナ素子を使用する従来の手法と比べて、フェーズドアレイ１６０はコンパクトである。
【００６０】
他の実施形態では、ブラインド信号分離プロセッサ４９が、Ｍ個の原信号のうちＫ個を混合行列から分離するように、混合行列の階数は、Ｋ＜Ｎとして、Ｋとすることができる。以下でより詳細に説明されるように、ＮはＭより大きくてもよい。
【００６１】
スイッチビームアンテナ１４０とフェーズドアレイ１６０の両方で、それぞれのアンテナ素子１４２、１４４、１６２の間の距離は、有利な前後比（back to front ratio）を可能にするように設定される。これは、これらのアンテナアレイの従来の使用は、希望しない信号を除去し（すなわち、後方アプローチ）、希望する信号を強める（すなわち、前方アプローチ）ことだからである。
【００６２】
しかし、混合行列を作成する目的では、ゴールは、信号の異なる和を生成することである。対象の信号は、本出願では、干渉よりも実際には常に低く、それでもまだ分離されることができる。目的のこの著しい相違のため、アンテナ素子の間の距離は、具体的な分離に必ずしも関係しない。
【００６３】
アンテナ素子は、互いにより遠くても、またはより近くてもよく、従来的には「悪い」前後比を用いてパターンを生成し、それでもまだ混合行列用の使用にとって非常に適していることができる。実際、そのようなパターンは、ブラインド信号源分離アプリケーションでは、しばしばより優れている。その理由は、良い前後比が、前方を所望信号、および／または後方を干渉に向け続けるための、信号方向の追跡を必要とすることにある。様々な方向で相違を有するが、依然として著しい利得を有するパターンを使用することによって、そのような信号の追跡は必要とされない。
【００６４】
アンテナビームは、最大利得ポイントから３ｄＢの低下点をもつとして定義することができる。したがって、信号経路の少なくとも１つの方向で信号除去を可能にする。同様に、アンテナパターンは、最大利得ポイントから３ｄＢの低下点を実質的にはもたないとして定義することができ、信号経路のどの方向でも信号除去をもたない。
【００６５】
多くの応用例では、素子間の特定の距離からのばらつきは、全体的なアンテナアレイのサイズを大幅に減少させることができる。その他の応用例では、追跡問題を軽減しながら、ある程度の追加信号の無相関を獲得するために、素子間の距離を大きくすることが実際には望ましいことがある。
【００６６】
別の実施形態では、図６に示されるように、アンテナアレイ１８０は、Ｍ個の原信号の少なくともＮ個の異なる総和を受信するため、Ｎ個のアンテナ素子を備える。Ｎ個のアンテナ素子のうち少なくとも２つ１８２ａ、１８２ｂは、Ｍ個の原信号のＮ個の異なる総和のうち少なくとも２つを受信するため、相関しており、異なる偏波を有し、ＮおよびＭは１より大きい。
【００６７】
アレイ１８０のその他のアンテナ素子１８４ａ、１８４ｂは、アンテナ素子１８２ａ、１８２ｂに対して相関していることも、または無相関であることもできる。偏波アンテナ素子１８４ａ、１８４ｂの別の対が図示されているが、これらの素子は、代わりに同じ偏波を有することもできる。さらに、これらの素子は、互いに無相関であることもできる。
【００６８】
アンテナ素子１８２ａ、１８２ｂの異なる偏波は、互いに直交することができる。別の構成では、アンテナ素子１８２ａ、１８２ｂは、Ｍ個の原信号の３個の異なる総和を受信するための３偏波（tri-polarization）をサポートするように、第３の素子１８２ｃを含む。
【００６９】
以下の説明は、混合行列Ａを生成するための偏波の使用を支援する。３つの異なる偏波をもつアンテナ素子１８２ａ、１８２ｂ、１８２ｃは、３つの線形かつ独立な信号和を受信する。図７に示されるようなｘ、ｙ、ｚ軸の定義および関係が使用される。例えば、以下の関係が存在する。
【００７０】
【数２】
2008517491.tif 000004
【００７１】
簡略化した仮定は、信号は直線偏波をもち、信号は線形独立であり、各々が直交軸上にある３つの線形アンテナ素子が存在するというものである。例えば、アンテナ素子１８２ａはｘ軸上に、アンテナ素子１８２ｂはｙ軸上に、アンテナ素子１８２ｃはｚ軸上にある。
【００７２】
３つの線形アンテナ素子１８２ａ、１８２ｂ、１８２ｃの各々を直交軸上に位置付けることによって、計算が簡略化される。実際の配備では、アンテナ素子１８２ａ、１８２ｂ、１８２ｃは、厳密に直交している必要はなく、共通点で交わる必要もない。この仮定の除去は、一般的な結論を無効にせず、むしろ階数不足が生じる状況を変化させる。
【００７３】
以下の定義が適用され、数字の下付き文字は、信号１、２、３との関連を示す。  
Ｓ1，Ｓ2，Ｓ3：アンテナ素子に入射する信号
θ1，θ2，θ3：信号のＸＹ平面電界角度
φ1，φ2，φ3：信号のＺ軸電界角度
Ｘx，Ｘy，Ｘz：アンテナ素子に入射する信号の和の内積
【００７４】
したがって、ベクトル成分は以下のようになる。
ｘ                  ｙ              ｚ
素子「ｘ」：    １                  ０              ０
素子「ｙ」：    ０                  １              ０
素子「ｚ」：    ０                  ０              １
Ｓ1係数：cos(θ1)sin(φ1)      sin(θ1)sin(φ1)      cos(φ1)
Ｓ2係数：cos(θ2)sin(φ2)      sin(θ2)sin(φ2)      cos(φ2)
Ｓ3係数：cos(θ3)sin(φ3)      sin(θ3)sin(φ3)      cos(φ3)
【００７５】
各アンテナ素子と信号の内積（Ｘ・Ｙ＝ｘ1ｘ2＋ｙ1ｙ2＋ｚ1ｚ2）を取ることで、素子において合算される相対電界成分が決定される。これらの値は、混合行列を生成するために使用される。
【００７６】
【数３】
2008517491.tif 000005
【００７７】
ここで
【００７８】
【数４】
2008517491.tif 000006
【００７９】
である。
【００８０】
階数不足状況がこれから説明される。行列式が０に等しい場合、混合行列は階数不足である。これは以下の場合に生じる。
【００８１】
１）θ1＝θ2＝θ3
「ｘ」および「ｙ」素子は、３つの信号のすべてから同じ寄与を受けている。
【００８２】
【数５】
2008517491.tif 000007
【００８３】
別の階数不足の場合のため、表のエントリの任意の組合せに１８０°を追加する。これらは、信号がアンテナ素子の十分な組合せによって独立に和を取られていない場合である。
【００８４】
３）すべての個々の和は、１または２につき０に等しくないが、
【００８５】
【数６】
2008517491.tif 000008
【００８６】
である。
【００８７】
これは、信号間の分離の小さな立体角（solid angle）、信号のほぼ等しい偏波、整列しているがアレイの相反する側から到来する信号、または両方の素子に対する同じエネルギーレベルを生じさせる信号入射のその他のいくつかの非常に可能性の低い偶発自体を含意する。
【００８８】
上で説明されたように、ロードマップの第１のセクションは、アンテナ構成を扱う。無相関センサを含む上で説明されたアンテナ構成は、Ｍ個の原信号の和信号を混合行列に提供するため、様々な異なる構成において組み合わされることができる。
【００８９】
ここで図８を参照すると、Ｍ個の信号源によって提供される原信号を分離する通信装置２００が説明される。アンテナアレイ２０２は、Ｍ個の原信号の少なくともＮ個の異なる総和を受信するための、Ｎ個のアンテナ素子を備え、ＮおよびＭは１より大きい。
【００９０】
Ｎ個のアンテナ素子は、Ｍ個の原信号のＮ個の異なる総和のうちの少なくとも１個を受信するための少なくとも１個のアンテナ素子２０４と、Ｍ個の原信号のＮ個の異なる総和のうちの少なくとも２個を受信する少なくとも２個の相関アンテナ素子２０６とを含む。２個の相関アンテナ素子２０６は、アンテナ素子２０４とは無相関である。アンテナアレイは、素子の相関、無相関、および偏波について様々な組合せで、追加のアンテナ素子を含むことができる。
【００９１】
受信機２１０は、Ｍ個の原信号の少なくともＮ個の異なる総和を受け取るために、アンテナアレイ２０２に接続される。ブラインド信号分離プロセッサ２１２は、Ｍ個の原信号の少なくともＮ個の異なる総和を含む混合行列２１４を形成するために、受信機に接続される。混合行列は、最大で少なくともＮに等しい階数をもち、ブラインド信号分離プロセッサ２１２は、混合行列Ａから所望の原信号２１６を分離する。
【００９２】
ロードマップの第２のセクションは、第１のセクションで提供されたアンテナ構成に対する機能増強を扱う。この機能増強は、混合行列Ａをさらに生成するための原信号の追加用または置換用の総和が収集されるように行われる。
【００９３】
１つの機能増強は、追加のアンテナ素子を付け加える必要なく、混合行列Ａによって使用される信号の追加の和を受信するためのアレイ偏向を含む。アレイ偏向は、方位角および／または仰角方向によってアンテナパターンを制御することを含む。
【００９４】
アレイ偏向を使用するＭ個の信号源によって提供される原信号を分離するための通信装置２４０が、図９を参照しながら説明される。アンテナアレイ２４２は、Ｍ個の原信号のＮ個の異なる総和を受信するためのＮ個の初期アンテナパターンを生成するＮ個のアンテナ素子２４４を備える。アンテナアレイ２４２はまた、Ｎ個の初期アンテナパターンのうちの少なくとも１個の仰角を選択的に変更して、少なくとも１個の追加のアンテナパターンを生成し、その結果、そのアンテナパターンによってＭ個の原信号の少なくとも１個の追加の異なる総和が受信されるようにするために、仰角コントローラ２４６も備える。
【００９５】
受信機２４８は、アンテナアレイ２４２に接続され、Ｎ個の初期アンテナパターンを使用して、Ｍ個の原信号のＮ個の異なる総和を受信し、少なくとも１個の追加のアンテナパターンを使用して、Ｍ個の原信号の少なくとも１個の追加の異なる総和も受信する。
【００９６】
ブラインド信号分離プロセッサ２５０は、Ｍ個の原信号のＮ個の異なる総和と、Ｍ個の原信号の少なくとも１個の追加の異なる総和とを含む混合行列２５２を形成するために、受信機２４８に接続される。混合行列は、Ｎに追加のアンテナパターンを使用して受信されるＭ個の原信号の追加の異なる総和の数を加えた数に等しい階数をもつ。プロセッサ２５０は、混合行列から所望の原信号２５４を分離する。
【００９７】
一般に、混合行列の階数を増やすのに適した信号和を提供するアンテナアレイ手段は、偏向機構（deflection mechanism）と一緒に利用されることができる。偏向は、各アンテナアレイ手段ごとに、混合行列に使用可能な２つの異なる信号和を生成する。したがって、この技法の利用によって２倍の乗数効果（multiplier effect）が得られる。
【００９８】
アレイ偏向がアンテナに関連付けられたＫ個の異なる領域にセグメント化される場合、Ｋ個の領域の各々は、２つの独立した偏向領域と、混合行列への入力とを提供することができる。例えば、アンテナアレイがそれ独自でＮ個の総和を提供することができ、Ｋ個の異なる偏向領域が存在する場合、混合行列内の信号和の数は、２×Ｋ×Ｎとなることができる。
【００９９】
説明の目的で、図４に示されたスイッチビームアンテナ１００’が、アンテナパターンが仰角について上方または下方に傾けられることができるように修正された、図１０が参照される。特に、パッシブアンテナ素子１０４’の各上側半分１０４ａ’は、リアクティブ負荷１０８’を介して接地平面１０６’に接続される。パッシブアンテナ素子１０４’の各下側半分１０４ｂ’も、リアクティブ負荷１０８’を介して接地平面１０６’に接続される。パッシブアンテナ素子１０４’のリアクタンスは、パッシブアンテナ素子を長くする、または短くする効果をもつ。パッシブアンテナ素子１０４’の電気的長さを、誘導性負荷は長くし、容量性負荷は短くする。
【０１００】
アンテナビームが、上側半分１０４ａ’のリアクティブ負荷１０８’と下側半分１０４ｂ’のリアクティブ負荷１１８’の比に基づいて、仰角について上方および下方に傾けられる。比を調整することによって、アンテナパターンは、図１１に示されるように、上向き９７または下向き９９を指すことができる。アンテナパターンの仰角が混合信号を受信するように調整された場合、少なくとも１つの追加の階数が、混合行列Ａに追加される。アレイ偏向を使用することで、アンテナ素子の数Ｎを増やす必要なしに、混合行列Ａのためのより多くの信号を受信することができる。
【０１０１】
この具体的な実装は、リアクタンス１１８’によって個別に制御される２つの異なる偏向領域を有する。アレイのパターン生成能力は、３つの独立パターンであり、したがって、混合行列を生成するために使用されることができる信号和の数は、１２（２×２×３）である。
【０１０２】
アンテナビームアレイを仰角についてどのように調整するかをより詳細に開示する特許文献３が参照される。アレイ偏向技法は、上で説明されたアンテナアレイ実施形態のいずれにも、または接地平面相互作用（ground plane interaction）に感受性のあるその他の任意のアンテナアレイにも適用されることができる。
【０１０３】
仰角コントローラの別の実施形態は、図１２に示されるように、アンテナ素子２７４の接地平面２７２に結合される制御可能ＲＦチョーク（RF choke）２７０に基づく。当業者であれば容易に理解されるように、アンテナ素子２７４に関連付けられたアンテナパターンは、ＲＦチョーク２７０を制御することによって、仰角について動かされる。
【０１０４】
Ｍ個の信号源によって与えられる原信号を経路選択に基づいて分離する通信装置３００が、図１３を参照しながら説明される。これは、上で説明されたアレイ偏向に対する機能増強と同様に、ロードマップの第１のセクションで提供されたアンテナ構成に対する別の機能増強である。通信装置３００は、Ｍ個の原信号の少なくともＮ個の異なる総和を受信するための少なくともＮ個のアンテナビームを形成するために、Ｎ個のアンテナ素子３０４を備え、ＮおよびＭは２より大きい。
【０１０５】
コントローラ３０６は、少なくともＮ個のアンテナビームを選択的に形成するために、アンテナアレイに接続される。受信機アセンブリ３０８は、Ｍ個の原信号の少なくともＮ個の異なる総和を受信するために、アンテナアレイ３０２に接続される。ブラインド信号分離プロセッサ３１０は、Ｍ個の原信号の少なくともＮ個までの異なる総和を含む混合行列３１２を形成するために、受信機アセンブリ３０８に接続される。
【０１０６】
ブラインド信号分離プロセッサ３１０はまた、Ｍ個の原信号の異なる総和が相関しているかまたは統計的に独立であるかを決定し、どちらでもない場合、混合行列３１２内の相関しておらずかつ統計的に独立もしていないＭ個の原信号の異なる総和を置き換えるためのＭ個の原信号の新しい異なる総和を受信するために、コントローラ３０６と協力して、異なるビームを形成する。その後、所望の原信号３１４が、混合行列３１２から分離される。
【０１０７】
レイク受信機（rake receiver）は、マルチパスフェージングの効果を打ち消すように設計された無線受信機である。レイク受信機は、個々のマルチパス成分に対して同調するように各々をわずかに遅延させた複数の独立受信機を使用することによって、これを行う。レイク受信機は、大部分のタイプの無線アクセスネットワークによって使用され得る。レイク受信機は、拡散符号タイプの変調にとって特に有益であることが知られている。特定の入射信号経路を選択するその能力によって、レイク受信機は、ブラインド信号分離処理に供給される経路を変更する手段として適したものとなっている。
【０１０８】
当業者であれば容易に理解されるように、上で説明されたようにＮ個のアンテナビームを選択的に形成することは、すべての無線アクセスネットワークに適用することができる。ＣＤＭＡシステムの場合、受信機アセンブリ３０８は、Ｎ個のレイク受信機３１６を備える。各レイク受信機３１６は、それに接続されるそれぞれのアンテナ素子によって受信されるＭ個の原信号のＮ個の異なる総和の各１つごとにｋ個の異なるマルチパス成分を選択するために、ｋ個のフィンガを備える。この構成では、ブラインド信号分離プロセッサ３１０は、混合行列３１２を形成するために、Ｎ個のレイク受信機３１６に接続される。混合行列３１２は、Ｍ個の原信号の少なくともＮ個の異なる総和の少なくともｋＮ個までのマルチパス成分を含み、混合行列は、最大でｋＮに等しい階数をもつ。
【０１０９】
特に、ＣＤＭＡ波形が伝播する場合、発信源から目的地までに、ＣＤＭＡ波形はしばしばマルチパスに遭遇する。レイク受信機３１６は特に、数多くのこれら個々の場合を捕捉し、より堅牢な信号復号のためにそれらを結合するように設計される。元の信号は各経路に沿って伝播する間、その特性が経路固有の特性によって変更される。いくつかの状況では、受信信号の相関および／または統計的特性に対する変更が十分に大きく、その結果、それらを、分離可能な信号ストリームとして扱うことができる。修正されたレイク受信機３１６を、各変更されたストリームを抽出し、それを一意的入力として混合行列３１２に供給するために使用することができる。階数を増やすこの手段は、常に利用可能であるとは限らないが、それが必要とされる可能性が最も大きい高マルチパス環境で利用可能である傾向にある。
【０１１０】
レイク受信機３１６は、異なる経路を利用することができるが、任意の変調技法に適用可能なより一般的な手法は、図１３を参照しながら説明されたような、ビーム形成である。ビーム形成は、所望の信号強化ばかりでなく、所望の信号除去のためにも使用されるので、レイク受信機３１６とは異なっている。しかし、重要なのは、除去された信号が、実際には受信機に向けられた信号の別のバージョンであり得ることである。しかし、十分な階数をもつ混合行列３１２を作成するために、受信機アセンブリ３０８は、同じ信号の数多くのこれら独特の伝播経路バージョンを検出することを必要とする。
【０１１１】
ロードマップの第３のセクションは、混合行列Ａをさらに生成する信号分割を扱う。１つの手法では、総和信号は、拡散符号を使用して分割される。別の手法では、総和信号は、同相（Ｉ）／直交（Ｑ）モジュールを使用して分割される。
【０１１２】
拡散符号を使用する信号分割が、図１４を参照しながら説明される。例示された通信装置４００は、Ｍ個の原信号の少なくともＮ個の異なる総和を受信するためにＮ個のアンテナ素子４０４を含むアンテナアレイ４０２を備える。符号逆拡散器（code despreader）４０６が、Ｍ個の原信号の少なくともＮ個の異なる総和を復号するために、Ｎ個のアンテナ素子４０４に接続される。Ｎ個の異なる総和の各１つは、関連付けられたＭ個の原信号のｋ個の異なる総和を提供するために、ｋ個の符号を含む。
【０１１３】
受信機アセンブリ４０８は、Ｍ個の原信号の少なくともｋＮ個の異なる総和を受信するために、符号逆拡散器４０６に接続される。ブラインド信号分離プロセッサ４１０は、Ｍ個の原信号の少なくともｋＮ個の異なる総和を含む混合行列４１２を形成するために、受信機アセンブリ４０８に接続される。混合行列４１２は、最大でｋＮに等しい階数をもつ。ブラインド信号分離プロセッサ４１０は、混合行列４１２から所望の原信号４１４を分離する。
【０１１４】
受信信号の変調に応じて、上で説明された信号分割を、アンテナ素子の数Ｎを増やすことなく、混合行列Ａの階数を増やすために使用することができる。ＣＤＭＡ  ＩＳ−９５、ＣＤＭＡ２０００、およびＷＣＤＭＡは、拡散符号が使用される拡散スペクトル通信システムの例である。共通の特徴は、データをより広い周波数帯域に拡散させるために、固有の符号が各信号と一緒に処理されることである。
【０１１５】
同じ拡散符号が、受信信号和（所望信号、非所望信号、および未知の雑音源）と一緒に処理される。これは、所望信号をその元の周波数帯域幅に再現させ、一方で、干渉は広い周波数帯域に拡散される。
【０１１６】
上に列挙されたＣＤＭＡの実装は、実際には同じ周波数帯域を同時に使用する多くの信号ストリームを有する。各信号ストリームは、理想的には他のすべてと直交する符号を使用する。この条件が復号器で満たされる場合、それは、対象信号だけが逆拡散されることを意味する。和の第Ｋの信号の符号が逆拡散用に使用される場合、結果の受信信号和ｘkは、振幅が増大されたｓk項と、無変化またはより低い値のｋ−１個の項とから大部分は構成される。
【０１１７】
ＣＤＭＡ信号間にはしばしば何らかの相関が存在し、そのため、所望信号とともに、干渉信号もいくらかは再現される。これはしばしば、個々の信号によって経験される遅延が原因であり、信号のマルチパス発生も原因である。非所望信号のいくつかは、特にＣＤＭＡ信号は、値が増大する。その増大は、所望信号の場合ほど著しくはないが、それでも全体的な雑音値を増大させ、この結果、信号対雑音比を低下させる。
【０１１８】
逆拡散信号式の形式および信号自体は、ブラインド信号分離処理の基準を満たす。事実、逆拡散符号の１つが通信装置４００によって受信された各既知信号に個別に適用される場合、ＩＣＡモデル要件を満たす個別の総和が得られる。
【０１１９】
したがって、もちろん各々が線形独立な有効値を生成すると仮定した場合、混合行列に利用可能な行入力が既知符号と同じだけ多く存在する。適当な状況下で、これは、符号の数より大きな値まで混合行列を増大させることを可能にする。例えば、Ｎ個のアンテナ素子とＭ個の符号は、ＮＭ個の行列の行を提供することができる。
【０１２０】
説明の目的で、３つの符号が既知であると仮定され、３つの既知符号は直交性を保っている。符号逆拡散器４０６において、混合行列Ａは、各ストリームが３つの既知符号によって逆拡散された後のアンテナストリームに各々が帰される、上の３行と、下の３行を有する。非対角要素の０値は、符号の直交性による。第４、第５、および第６列の入力は、同じインデックスの未知信号の一般的なケースのためのものである。
【０１２１】
【数７】
2008517491.tif 000009
【０１２２】
第４、第５、および第６列の入力に対応する信号は、既知符号の他の経路のバージョン、または未知符号の他のセル信号とすることができる。また、１つの信号は、ガウシアンとすることができ、他の信号は、単一ガウス信号として出現するように中心極限定理（central limit theorem）に従うＣＤＭＡ信号群、例えば、リリース４チャネル（release 4 channel）である。言い換えると、十分な量の非ランダム信号が、結局はガウス信号になる。干渉は、非ガウス信号源か、またはネットワークに未知の高々１つのガウス信号とすることができる。
【０１２３】
符号逆拡散器４０６で既知符号を逆拡散した後、ブラインド信号分離プロセッサ４１０は、階数６の混合行列４１２を受け取る。６という階数は、３つの符号が既知であるために係数３を乗じられる２個のアンテナ素子に基づいて導き出される。
【０１２４】
６個の信号がブラインド信号分離プロセッサ４１０に適用され、階数６をもつ混合行列４１２が形成される。ブラインド信号分離プロセッサ４１０は、チャネルによって変更された受信信号ｘ＝Ａｓだけから分離行列Ｗを決定する。例示された例では、６個の信号が分離可能である。
【０１２５】
ブラインド信号分離プロセッサ４１０は、復号される信号を選択する。例えば、干渉信号は除かれることができ、所望信号のすべてのバージョンが選択される。選択信号は、復調のために復調器モジュールに与えられる。復調器は、同じ信号のマルチパスバージョンを合成する周知の等化技法を使用する。
【０１２６】
より一般的なケースでは、簡略化のため上では０として示された非対角要素の値は、実際には非０とすることができる。これは、符号化信号間の相関特性が理想的ではないより普通のケースである。これは、各分離信号への追加雑音を表す。しかし、先に示されたように、行列の階数は、これらの信号を分離するのに十分であり、そのため、それらの値は、ブラインド信号分離処理の後では、著しく低下させられる。これは、雑音の減少、信号対雑音比の増大、およびシャノンの法則によって示されるようにチャネル容量の増大をもたらす。
【０１２７】
ここで図１５を参照すると、アンテナ素子の数Ｎを増やすことなく、混合行列Ａの階数を増やす他の手法は、受信混合信号を同相（Ｉ）成分と直交（Ｑ）成分に分離することである。コヒーレントなＲＦ信号のＩおよびＱ成分は、振幅は同じだが、位相が９０度だけ離れた成分である。
【０１２８】
通信装置５００は、Ｍ個の原信号の少なくともＮ個の異なる総和を受信するＮ個のアンテナ素子５０４を含むアンテナアレイ５０２を備える。それぞれの同相／直交モジュール５０６は、各アンテナ素子５０４の下流に存在し、受信されたＭ個の原信号のＮ個の異なる総和の各１つを同相／直交成分セットに分離する。
【０１２９】
受信機アセンブリ５０８は、各同相／直交モジュール５０６の下流に存在し、Ｍ個の原信号の少なくともＮ個の異なる総和の少なくともＮ個の同相／直交成分セットを受け取る。ブラインド信号分離プロセッサ５１０は、受信機アセンブリ５０８の下流に存在し、Ｍ個の原信号の少なくとも２Ｎ個の異なる総和を含む混合行列５１２を形成する。各同相／直交成分セットは、混合行列５１２に２つの入力を提供する。混合行列５１２は、最大で２Ｎに等しい階数をもち、ブラインド信号分離プロセッサ５１０は、混合行列５１２から所望原信号５１４を分離する。
【０１３０】
アンテナ素子５０２の下流のそれぞれの同相／直交モジュール５０６の１つが、図１６に示されている。アンテナ素子５０２で受信された混合信号は、１対のミキサ５２０によって分割される。ＩおよびＱ成分は、９０度位相がずれた同一の基準信号が与えられる２つの同期検出器を用いて、中間周波数（ＩＦ）信号を別の周波数範囲に変換することによって、一般に生成される。ＩおよびＱ信号は一緒に、ＩＦ信号に含まれる位相情報を保存し、それによって、正の周波数をもつ信号が負の周波数をもつ信号から識別されることを可能にする。
【０１３１】
受信混合信号をＩおよびＱ成分に分離することによって、混合行列のサイズは、係数２だけ増やされる。ＩおよびＱ成分が異なるデータストリームとともに符号化される限り、アンテナ素子で受信される混合信号を、２個の異なる混合信号に分割することができる。
【０１３２】
差分符号化（differential encoding）の場合、ＩおよびＱが線形性要件を満たすかどうかを決定するために、変調の性質が分析されることを必要とする。例えば、ＧＳＭの場合、ＧＭＳＫ符号化が適切なフィルタリングとともに使用される場合、線形であると仮定でき、ＢＰＳＫ符号化であるかのように受信機で処理されることができることが示された。ＢＰＳＫはブラインド信号分離処理のための要件を満たすので、説明されたＩ／Ｑプロセスを使用することができる。
【０１３３】
ＩおよびＱ成分は、混合行列Ａを生成するために、上で説明されたアンテナアレイ実装形態のいずれとも一緒に使用されることができる。ＩおよびＱが使用される場合、混合行列Ａは、２倍の数のアンテナ素子が使用されたかのように生成されることができる。別の例は、２個のアンテナ素子（係数２）の、偏波が等しくない無相関の状態での（係数２×２）、ＩおよびＱ成分と組み合わせた（係数２×２×２）使用とすることができ、その結果、８個の独立の混合信号和が生成される。
【０１３４】
より多くの信号和を生成するために、この機構を、アンテナアレイ偏向技法と一緒に使用することもできる。これらの和の各々を、次にＩおよびＱ成分に分割することができる。
【０１３５】
本発明の別の態様は、同じＲＦチャネルの複数使用を利用するための多入力多出力（ＭＩＭＯ：Multiple Input and Multiple Output）アンテナ技法に関する。干渉キャンセレーションのための受信機処理技法は、信号伝達の堅牢性および対応するデータレートの向上を達成するために、アンテナダイバーシチを使用することよりもむしろ、パターンダイバーシチ（pattern diversity）を利用することによって、必要とされるアンテナの数を最小限に抑える。
【０１３６】
アンテナアレイは、受信機経路に変更可能な重み付けを有する。これらの重みが変更されると、受信アンテナパターンが変更される。ブラインド信号分離（ＢＳＳ）についてよく文書化された技法と類似の技法を使用することによって、複数の干渉からの信号を含む受信データから、所望信号を抽出することができる。
【０１３７】
パターンがどのように形成されるかに関わらず、図１７に示されるように、ＭＩＭＯを実装した受信構造におけるアンテナダイバーシチのパターンダイバーシチによる置き換えが可能である。Ｋ個のパターンの数は、理想的にはＮ個のアンテナ素子の数に等しい。しかし、Ｋ個のパターンは、従来技術で必要とされたＮ個のアンテナ素子より少ないＬ個のアンテナ素子を用いて生成される。既存のアンテナアレイＭＩＭＯの実装と同様に、ＭおよびＫは、すべての送信されるＭ個の空間チャネルがＫ個の受信機パターンによって識別可能である場合にのみ等しい。これは一般に固定送信機および受信機の場合に限られるので、受信機パターンまたは送信機アンテナの余分が、最低限のＫまたはＭの空間利得（spatial gain）を達成するために必要である。マルチユーザ検出処理技法が、受信機システムにおいてデータチャネルを分離し出すために利用される。混合行列を作成するための上で説明されたすべての方法を、この実装の一部として使用することができる。
【０１３８】
本発明の別の態様は、符号間干渉（ＩＳＩ）に関する。ＩＳＩを低減するためにフーリエ変換を使用する場合の制限は、図１８で与えられる構成によって対処される。以下のブロックが、ＩＳＩを低減するフーリエ変換方法を改善するために送信側に追加される。すなわち、ビタビ符号化、反復／パンクチュアリング（repetition/puncturing）、およびブロック冗長インターリービング（block redundancy interleaving）が、送信側に追加される。受信側では、以下のブロック、すなわち、ＢＳＳ干渉除去（BSS interference removal）、ブロックデインターリービング（block de-interleaving）、逆反復／デパンクチュアリング（de-repetition/de-puncturing）、およびビタビ復号が追加される。
【０１３９】
「ビタビ符号化」は、データ復号プロセスにおいて不正確を克服する堅牢な冗長性を有する。ターボ符号化（turbo coding）などの代替形態による符号化も適用可能である。「反復またはパンクチュアリング」は、ソースデータレートと送信データレートの間のデータブロックマッチングを可能にする。「ブロックインターリービング」は、適切な復号の確率を最大化するように、順番に到着するソースデータをランダム化し、伝播チャネル状態に対する強度を改善する。これは、ブロック誤りよりもランダム分散誤りから、はるかに効果的にデータストリームを再生できるビタビ復号器の前でブロック誤りを分散させることによって、例えば深刻なフェードに起因するブロック誤りを導入する（introduce）。「ＢＳＳ干渉除去」は、時間領域に変換し戻す前に、信号を対象信号に還元する。
【０１４０】
結果の周波数領域信号が、一様である可能性が低い既知の統計的特性を有するとすると、非一様分散（ＰＡＲのレベル）に対処する最良の方法は、（周波数にわたって信号レベルを等化するために）ＦＥＴの出力において非線形マッパ（non-linear mapper）を、およびＩＦＦＴへの入力において逆変換を追加することである。
【０１４１】
加えて、現実的なシナリオでは、この信号は一般に変調され、送信周波内にまとめられるので、変調器、アップコンバータ、ダウンコンバータ、復調器の追加が、図を完成させる。送信波形の間の境界において不連続が存在する。これは複数の方法で緩和されることができる。１つは、波形の間にガードバンド（guard band）を追加することであり、ガードバンドにおいては、生成される周波数成分を最小化するように、波形の間で曲線が補間される。混合行列を作成するための上で説明されたすべての方法を、この実装の一部として使用することができる。
【０１４２】
本発明の別の態様は、レイヤ空間通信（layer space communication）をサポートするパターンダイバーシチに関する。ここで図１９を参照すると、好ましい実施形態では、送信機は、タイムスロットベースで各レイヤ空間ストリームについて電力レベルを変化させる。したがって、ストリームは、様々な電力レベルで受信機に到達し、それが、ＢＳＳ分離処理に適した行列の生成にとって適切な受信信号の相違を提供する。すべての出力電力調整は送信機で行われるので、受信機におけるＬ個のアンテナ素子の数は１であり、パターン生成ハードウェアまたはソフトウェアは、受信機では必要とされない。
【０１４３】
この手法はまた、信号間で適切に異なるパターン輪郭を生成する際に、到達信号の間のわずかな角度の相違がもはや問題ではないという点で、従来技術に対処する。
【０１４４】
別の実施形態では、所望送信機から以外の著しい干渉が存在する。単一のそのような干渉が存在する場合、干渉と変化する所望送信機の波面の間の相違は、ＢＳＳ処理にすべての信号を分離させるのに十分である。２つ以上の著しい干渉が存在する場合、行列の階数は、十分でないことがある。システム性能を、受信機において追加のパターン変化を生成することによって改善することができる。これは好ましい実施形態からの逸脱であるが、それでも以前より著しくわずかなパターンしか必要とせず、したがって、受信機においてそれほど込み入った実装を必要としない。
【０１４５】
別の実施形態では、複数のデータストリームが、１つの電力増幅器を介し、単一のアンテナ素子を介した送信のために一緒に足し合わされる。タイムスロットベースでは、和信号の間の相対的な電力レベルは、受信機におけるＢＳＳ復号にとって適切な方式で変化する。この手法の利点は、合成信号内の個々の信号ストリームが同じ伝播経路効果を経験することであり、それは、送信機と受信機の間で相対的な信号関係が維持されることを意味する。これは、受信機において非常に堅牢な復号状況を提供する。
【０１４６】
この概念は、複数の個々の信号和が異なるアンテナ素子を介して送信されることができる点で拡張可能である。したがって、堅牢な信号分離を、マルチパスダイバーシチ利得および／または空間容量利得とともに獲得することができる。理想的には一定であるピーク対平均信号電力比の問題に対処するため、和信号の電力を、一定に近い電力レベルを維持する方式で調整することができる。混合行列を作成するための上で説明されたすべての方法を、この実装の一部として使用することができる。
【０１４７】
本発明の別の態様は、複数の同時送信機をサポートする波状パターン（undulating pattern）に関する。ここで図２０を参照すると、アクセスポイントに送信する複数の装置が、それらのＲＦパターンを変調する。したがって、対象アクセスポイントと非対象アクセスポイントは、送信信号の異なる電力レベルバージョンを受信する。これは、ＢＳＳが信号を分離するのに必要な情報を提供する。
【０１４８】
変調は、送信電力を変化させるのと同じほど単純にすることができる。これは、パターン輪郭と独立に行われることができ、そのため、無指向性もしくは扇形パターンが、またはビーム形成パターンさえもを、使用することができる。送信ビームのボアサイト（bore sight）を変更するなどのその他の技法を使用することができる。
【０１４９】
最も効果的な手法は、整列タイムスロットを送信機に使用させることである。タイミングは、装置の内部クロックを使用することによって、またはアクセスポイントによって送信される共通タイムマークに同期させることによって、設定することができる。信号が受信機に到達する時についてミスアラインメント（misalignment）が存在すると、信号を分離するＢＳＳ能力に性能低下を生じさせる。装置への距離を決定することによって、または時間遅延を測定することによって、アラインメントを調整することができる。その後、タイミングを早めまたは遅らせるための技法を、アクセス装置によって使用することができる。
【０１５０】
信号受信利得変化がともに、それらをターゲットとみなし、その他の場合には干渉とみなすＢＳＳ装備アクセスポイントによって使用されるとすると、整列する適切な受信機が変化することがある。全体的なネットワーク協調が存在しない場合、対象受信機は、整列されるべきである。全体的なネットワーク協調が存在する場合、最良の手法は、干渉として除去するために信号をより簡単にしながら、対象受信機における分離にとって十分な整列を依然として提供することであることを、測定が示すことがある。
【０１５１】
ＲＦ電力レベル変調技法を使用しない他の信号源が存在する場合、従来の信号除去技法が使用されることができる。受信機は、ＢＳＳに適した行列の階数を増やすために、パターンまたはその他の手段を使用することもできる。後者の手段が利用される場合であっても、引き出される行列情報の程度が、アクセスポイント受信機で実施されるオーバヘッドを大きく低下させる。混合行列を作成するための上で説明されたすべての方法を、この実施の一部として使用することができる。
【０１５２】
本発明の別の態様は、処理および電力ドレイン（power drain）を最適化するために、ＢＳＳのＲＦ復号を調整することに関する。対象ストリームを復号するために分離される必要がある信号の数が減少される。一般に、復号行列の階数が、分離される最も重要な信号の数を決定し、残りの信号は雑音として扱われる。したがって、この値は、復号される信号を含めた最小値である必要がある。信号対雑音比が許容可能な復号誤り率を可能にするように雑音成分を低減するため、場合によっては、より高い最小値が必要とされることがある。
【０１５３】
図２１は、受信機のみの動作の実装を示している。図２２は、図２１のスーパーセットであり、送信機から受信機へのデータ、および任意選択で受信機から送信機へのデータも含む。
【０１５４】
行列を満たす選択肢（option）が、動作にとって必要な階数を超える場合、アンテナアレイ制御は、利用される選択肢の数を減らすことができる。利用可能な組からのいくつかの選択は、その他のものより望ましいことがあり、最適な選択は、より低い行列階数を可能にする。この組は、試行錯誤技法（例えば、選択肢ｋを使用した結果と使用しない結果との比較）によって、または条件および結果のヒストリカル追跡によって、様々な選択肢からの信号をその他の選択肢と比較して検査することによって決定されることができる。どの方法または方法の組合せが使用されるかは、既知の条件およびヒストリカルな証拠によって与えられる有効性に基づいても決定されることができる。
【０１５５】
カバレージが重なり合う領域において生じるように、装置が複数の信号源からの有効信号の範囲内にあることが知られている場合、最高電力の信号が、著しく異なる方向から到来すると予測されることができる。したがって、選択肢は、それらの方向において著しい信号差を与えるように選択されるべきである。
【０１５６】
符号化に関して、誤り訂正符号化は、原復号ストリーム（raw decoded stream）において許容され得る誤り率を決定する。原誤り率（raw error rate）は、行列を満たす選択肢のサブセットの関数でもあるので、これらの設定の間にはトレードオフが存在する。符号器と復号器の間のフィードバックおよびコントロールループを、最適な相互設定を選択するために使用することができる。
【０１５７】
受信機が電力制限される状況にはないと分かっている場合（例えば、線間電圧（line voltage）による電力）、復号器は、その行列階数を増やすことができる。これは複数の目的で使用されることができる。より高い階数により雑音を低減させ、これが信号対雑音比を高め、次に誤り率を低下させる。雑音を低減させることは、送信データレートを高めるため、誤り訂正符号化を縮小するため、またはリンクの全体的信頼性を改善するために使用されることができる。
【０１５８】
行列を満たす負担を受信機に移すことも、送信機の負担を減らし、これを、受信機と送信機の間にコントロールループが存在する場合に利用することができる。反対に、バッテリを使用する装置は、より堅牢に供給された装置に階数生成の増大についてネゴシエーションを試みることができる。
【０１５９】
タイミング設定を変更することによって、大多数の堅牢な動作は、復号行列がすべてのシンボルについて再計算されることを必要とする。しかし、しばしば、可干渉時間（coherence time）は、シンボルの数を超え、その結果、可干渉時間よりわずかに速いレートで測定が必要とされるに過ぎない。復号行列決定事象を減らすことが、電力およびプロセッサオーバヘッドを節約する。
【０１６０】
１つの事象から別の事象で行列の変化を監視することが、どれだけ頻繁に復号行列が再計算されなければならないかを決定するために使用される。広帯域システムでは、サブチャネルは、しばしば個別の可干渉時間を有する。各サブチャネルは、それ独自の復号行列と関連する測定レートを有することができる。これは、１つの非常に大きな復号行列を最速の必要レートで再計算する必要を取り除く。一般に、サブ復号行列のための測定の和は、１つの大きな復号行列を使用する場合よりも小さい。
【０１６１】
パターン送信に関して、送信源がパターンを生成する場合、受信機は、十分な行列階数を提供するため、行列充填受信選択肢（matrix fill receive option）を調整することができる。受信機は、その値を、送信機によって通知された送信特性、受信ストリームおよび復号データの測定、または送信源とネゴシエートした設定に関する情報に基づかせることができる。ネゴシエーションが行われる場合、送信源のリソース制限も考慮され、その結果、一方が、他方の負荷を軽減するために、より高い負荷を引き受け得ることが可能である。
【０１６２】
行列解法技法に関して、一般に、復号行列は、１つの計算から次の計算であまり変化しない。したがって、前の値を、解の反復決定へのシードとして使用することができ、このことが、ゼロからの決定よりもプロセッサ集中性を低くする。行列が最初から大きい場合、解が未知の状態から決定される場合であっても、反復復号が通常はより速い。これは、階数が大きく、相当に満たされた行列を解くためのよく知られた方法である。
【０１６３】
一般に、利用可能な構成要素、リビジョンコードレベル（revision code level）、適切な機器、および妥当な動作に影響するその他の要因に応じて、上のすべての組合せが可能である。混合行列を作成するための上で説明されたすべての方法を、この実装の一部として使用することができる。
【０１６４】
本発明の別の態様は、効果的なエリアカバレージをサポートする波状パターンに関する。パターン送信に関して、基本的考えは、インフラストラクチャサイトにおいて扇形カバレージパターン（sectored coverage pattern）を使用するというものである。利用されるセクタ（sector）の実際の数は、容量ニーズおよび関連するコスト要因とともに変化する。実際の実装は、単一のセクタから任意の多数まで様々であり得る。セクタ自体を、方位角もしくは仰角平面、または方位角および仰角平面において、細分することができる。セクタ化を使用する主要な利点は、ビーム形成方法のようにリンクの他端で装置を追跡する必要を緩和することにある。したがって、１つのセクタのカバレージ領域を離れて別のセクタに移ることは、従来のハンドオフの状況に還元される。
【０１６５】
従来技術は、ＢＳＳ信号分離処理に適したパターン変化を生成する受信機を有する。対照的に、送信機は、適切なＢＳＳ復号器環境が少なくとも部分的に存在するように技法を利用する。いくつかの実装では、これは受信機が波状パターンを生成する必要がないことを意味する。その他の実施形態では、これは波状パターンの数が著しく減らされることを意味する。
【０１６６】
一実施形態は、１つの送信点のためのものである。この実施形態は、領域内のその他の送信源も動作しているかどうかが未知である状況に対処する。図２３を参照すると、送信パターン輪郭は、受信機に知られたタイミング順で起伏(undulated)させられる。
【０１６７】
送信パターンの変化は、送信シンボルの分割と一致するようにタイミングが取られる。ボアサイトを動かす代わりに、パターンの輪郭が変化させられ、各タイムスロットごとに一定に保たれる。したがって、カバレージエリアは変化せず、取り組まなかればならないような見越し追跡（foresight tracking）問題は存在しない。
【０１６８】
受信機は、変化する送信輪郭に起因する波面電力レベルの変化を経験する。したがって、ＢＳＳ行列は、異なる相対利得値における様々な信号ストリームの差を用いて生成される。
【０１６９】
受信された優勢な信号がすべて、波状信号を使用する１つまたは複数の送信機からのものである場合、受信機は、単に各パターン変化の間にサンプルを取り、結果のデータを使用して、ＢＳＳ信号分離用の行列を生成する。
【０１７０】
波状信号を使用する送信機と波状信号を使用しないその他の送信機の混合が存在する場合、受信機は、従来の信号分離技法を使用して、それらを説明する（account for）ことができる。例えば、ビーム形成およびマルチユーザ検出などの方法を使用することができる。しかし、ＢＳＳ方法が通常はより堅牢である。実際の場合、受信機は、パターン変形を実施し、ＢＳＳ行列の階数を分離される信号の数より大きく増やすのに十分な追加のパターンを生成する。
【０１７１】
例えば、ＢＳＳ復号器の実装について、３つの信号を有する３つの輪郭が送信機によって送信され、その他に送信される信号が２つ存在する場合、受信機は、互いに対して干渉を分離するために少なくとも２つの輪郭を生成する必要がある。これは、送信機がそれ独自の組を生成しない場合に必要とされるよりも輪郭３つ分だけ少なく、そのため、受信機の実装負荷は常に軽減される。
【０１７２】
送信機が信号経路に沿って単一のストリームを送信している場合、パターン輪郭の組は、回転性であるまたは異なっている必要はない。これは、受信機で検出される信号が、すべてのその他の受信信号に対して変化させられているためである。したがって、送信機は、輪郭の形を変化させる必要よりもむしろ、全体的パターンについての簡単な電力変化を利用することができる。受信機において１つのその他のストリームが合算されるだけの場合、ＢＳＳは、１つは振幅が一定であったとしても、それらを分離することができる。これは、電力ディザ源（power dithering source）がその動作に必要な変化を提供するためである。２つ以上の他のストリームが受信される場合、受信機自体がその他の分離手段を使用するか、またはそれ独自の波状パターン生成能力をもたない限り、それらは単一のグループ化された干渉としてＢＳＳには見える。
【０１７３】
次に、受信モードにあるパターン送信機が説明される。複数パターン輪郭のＢＳＳ処理は信号分離の優れた方法であるので、送信パターンを生成するために使用される同じ技法も、複数の受信機値を生成するために使用することができる。したがって、送信がすでにサポートされている場合のＢＳＳ受信のためのコスト要因だけが、ＢＳＳ処理のオーバヘッドである。
【０１７４】
ここで、送信機へのユーザ機器受信機フィードバックが説明される。必ずしも厳格に必要とはされないが、ユーザ機器受信機からのフィードバック情報を、リンクの全体的動作を改善するために使用することができる。例えば、受信機は、パターン輪郭の各変化が有益なデータを提供する程度を決定することができる。この情報は、送信機にフィードバックされる。その後、送信機は、リンクを改善するために、電力をより少なく利用するために、またはその他の通信リンクとよりわずかしか干渉しないようにするために、その動作を調整することができる。調整のいくつかは、各パターンのどれをどの順序で使用するか、および信号送信の最中にいくつ変化を起こすか（すなわち、Ｍ個の輪郭からＮ個の輪郭への変更）についてとすることができる。シンボル当たりの輪郭変化の調整は、最良性能のために受信機に伝えられる必要がある。
【０１７５】
第２の実施形態は、上で説明された手法を使用することが知られた複数の送信点を含む。複数送信機サイト実装のための受信機動作は、基本的に単一サイトのためのものと同じである。相違は、各送信機によって生成されるパターンが、ＢＳＳ信号分離のために受信機でカウントされ得ることである。
【０１７６】
しかし、調整された送信パラメータの性質に関する情報をネットワークから受信することによって、より堅牢な動作を得ることができる。例えば、必要なパターンの数を指示する行列の階数を、調整することができる。したがって、受信機のパターン生成は、利用可能な場合、この情報ごとに調整される。ネットワーク広域無線資源管理（network wide radio resource management）は、ネットワーク広域パターン使用、方位、電力レベル、およびタイミングを確立するために、ユーザ機器からフィードバックされた情報を利用することができる。混合行列を作成するための上で説明されたすべての方法を、この実装の一部として使用することができる。
【０１７７】
本発明の別の態様は、ＣＤＭＡ信号分離を支援するためのＢＳＳおよびパターン波動（pattern undulation）に関する。信号を効果的に分離するＢＳＳアルゴリズムの場合、ｘi受信信号は、各個別信号に関連付けられた相対的に異なる重み付け係数を用いてアンテナで受信された信号の集約でなければならない。これは、送信機、受信機、または両方の位置で行われることができる。重み付け係数は、送信エンドまたは受信エンドで変更される場合、チップごとに、または連続チップの組ごとに変更されることができる。基本要件は、集約信号は、少なくとも分離する信号が存在するのと同じ回数だけシンボルごとに調整されることである。
【０１７８】
図２４は、周波数についてシンボルが１２回変化させられる（１２チップ）場合を示している。変化させられるパラメータは、４チップの間は一定に保たれる。シンボルあたり３回の変化は、３つの異なる信号が集約受信信号から分離され得ることを意味している。
【０１７９】
送信機が信号経路に沿って単一のストリームを送信する場合、パターン輪郭の組は、回転性であるまたは異なっている必要はない。これは、受信機で検出される信号が、すべてのその他の受信信号に対して変化させられているためである。したがって、送信機は、輪郭の形を変化させる必要よりもむしろ、全体的パターンについての簡単な電力変化を利用することができる。受信機において１つのその他のストリームが合算されるだけの場合、ＢＳＳは、１つは振幅が一定であったとしても、それらを分離することができる。これは、電力ディザ源がその動作に必要な変化を提供するためである。２つ以上の他のストリームが受信される場合、受信機自体がその他の分離手段を使用するか、またはそれ独自の波状パターン生成能力をもたない限り、それらは単一のグループ化された干渉としてＢＳＳには見える。
【０１８０】
必ずしも厳格に必要とはされないが、ユーザ機器受信機からのフィードバック情報を、リンクの全体的動作を改善するために使用することができる。例えば、受信機は、パターン輪郭の各変化が有益なデータを提供する程度を決定することができる。この情報は、送信機にフィードバックされる。その後、送信機は、リンクを改善するために、電力をより少なく利用するために、またはその他の通信リンクとよりわずかしか干渉しないようにするために、その動作を調整することができる。電力プロフィールを変更する多くの方法が存在するが、調整のいくつかは、各パターンのどれをどの順序で使用するか、シンボル送信の最中にいくつ変化を起こすか、および個々のリンクに合わせて電力をどのように変調またはディザする（dither）かについてとすることができる。シンボル当たりの輪郭変化の調整は、最良性能のために受信機に伝えられる必要がある。
【０１８１】
実際の電力増幅器（ＰＡ）は、線形動作範囲で最も適切に利用される。大きなピーク対平均電力比によって、線形動作の動作範囲は縮小され、ＰＡについての縮小された線形動的制御範囲を生じさせる。したがって、送信機と受信機との間nの動作距離は縮小されてしまう。電力が利用される送信パラメータである場合、この問題を、複数の手法によって緩和することができる。
【０１８２】
これらの手法は、２つ以上のシンクが同じ増幅器によって給電される場合、すべての信号の電力の和が一定に維持されるような方式で、ＢＳＳ変化が同期させられ得ることを含む。言い換えると、いくつかの送信の増大は、その他の減少によって相殺される。電力がチップレートに近い値で変調される場合、超過電力はしばしば、誘導される波動が小さい減結合保存要素（decoupling storage element）によって吸収されることができる。超過電力は、散逸負荷（dissipation load）に送られることができる。
【０１８３】
２次元または３次元におけるパターンが、送信および受信アンテナの両方のために、フェーズドアレイアンテナの遅延および電力レベルの調整、切換可能負荷を有する寄生アンテナ素子、偏波の変更、パターンの偏向を生じさせる電力平面負荷の変更、素子または反射器の機械的動き、ならびに上記の任意のものの組合せを含む、多くの手段によって生成されることができる。混合行列を作成するための上で説明されたすべての方法は、この実施の一部として使用されることができる。
【０１８４】
本発明の別の態様は、複数の空間独立チャネル（spatial independent channel）のための単一の受信機に関する。スイッチ寄生アンテナ（switched parasitic antenna）を、複数の空間独立チャネルをベースバンド処理構造に提供するために、高速デジタイザおよびダウンコンバータに結合させることができる。複数の空間独立チャネルは、単一の低雑音増幅器（ＬＮＡ）と、ミキサと、局部発振器（ＬＯ）と、低域通過フィルタ（ＬＰＦ）と、アナログ／デジタルコンバータ（ＡＤＣ）とによって提供される。
【０１８５】
これらの技法を用いて獲得される複数の空間独立チャネルは、様々な方法のいずれかによって処理されることができる。その例は、コヒーレント合成（coherent combining）、ブラインド信号分離（ＢＳＳ）、または多入力多出力（ＭＩＭＯ）受信処理を含むことができる。
【０１８６】
図２５に関係して、システム原理が以下で説明される。好ましい実施形態は、構成要素をインダクタおよびキャパシタに変更した単一のアンテナアレイから成る。帯域通過フィルタは、ＬＮＡに提供される周波数帯域および全ＲＦ電力の両方を制限する。ＬＮＡは、受信信号のための単なる低雑音増幅器ではない。ミキサおよびＬＯは、ＲＦ信号を中間周波数（ＩＦ）またはベースバンドＤＣのどちらかに下げて同調させる。どちらの実装もバックエンド処理と適合性がある。
【０１８７】
アンテナスイッチング、任意選択のＬＯスイッチング、およびデマルチプレクサスイッチングはすべて、信号のＮ個のチャネルがアンテナのＮ個のダイバーシチモードから生成されるように、同じデジタルシーケンス生成器によって駆動される。これは、ＬＰＦおよびＡＤＣに提供される単一のチャネルＲＦ出力をミキサから生成する。
【０１８８】
図にはそのように示されていないが、ＡＤＣは、アンテナモード、任意選択のＬＯスイッチング、およびデマルチプレクサスイッチングを駆動するのと同じデジタルシーケンス生成器と同期する。搬送波周波数Ｆｃと変調帯域Ｂを有する信号を考えると、デマルチプレクサは、パルス整形のためのインパルスを有するダウンサンプリング動作として働く。Ｎ個の素子を有するアレイの場合、ＡＤＣのサンプリング周波数は、少なくとも２×Ｎ×Ｂでなければならない。Ｎ個のサンプルごとに１つのみがベースバンドプロセッサ（ＢＢＰ）内の復調チェーンに提供されるので、Ｎ個が必要とされる。ナイキストのサンプリング理論を満足するために、２×Ｂが必要とされる。したがって、このシステムによって受信される信号の帯域幅も、装置のスイッチング速度によって制限される。
【０１８９】
デマルチプレクサは、ＢＢＰ内のＮ個の並列復調回路の各々にサンプルを交互に提供する。サンプル分配方式は、グループをなしてはならず、代わりに順次分配でなければならない。例えば、３つのアンテナダイバーシチ選択肢（左、右、全方向）が存在する場合、Ｎ＝３である。１、２、３、４、５、６、７、８、９、１０、１１、１２と番号付けられたＡＤＣからのサンプルは、第１の復調チェーンに１、４、７、１０、第２の復調チェーンに２、５、８、１１、第３の復調チェーンに３、６、９、１２のように分配される。
【０１９０】
先に述べられたように、復調器は、コヒーレント合成、ＢＳＳ、または２つの共通ＭＩＭＯ復調技法のどちらかの形態とすることができる。これは、Ｎ個の空間独立チャネルを期待する単一復調回路のＮ個の具体化または１つのパッケージとすることができる。コヒーレント合成は、ソフト決定の重み付け、またはハード決定の動作とすることができる。いくつかの実施制限が以下で説明される。それらは、信号対雑音比（ＳＮＲ）の考慮、雑音指数（noise figure）、インピーダンス整合、および受信信号電力を含む。
【０１９１】
アンテナアレイが受信信号に一致した帯域幅を有すると仮定する場合、帯域内ＳＮＲは同じままである。しかし、帯域内信号エネルギーは、従来のアレイのものと比較してＮ2の係数だけ低減される。
【０１９２】
ＬＮＡはアンテナアレイの後の信号経路における最初の有効構成要素であるので、雑音指数は、スイッチアレイがＰＩＮダイオードで始まるときほど大きな問題ではない。デマルチプレクサの後の各チャネルは１／Ｎの信号電力を受け取るので、ＬＮＡ利得要件は、ミキサの出力におけるのに匹敵する信号振幅を保持するために、１０ｌｏｇ10Ｎだけ増やされる。
【０１９３】
異なるアンテナ素子の間のスイッチングが、インピーダンス整合特性の変化をもたらす。ＲＦ経路に直接接続されるただ１つの素子として「アクティブ」アンテナ素子を常に有するアンテナ実装の場合、このようなことはない。その他の「寄生」アンテナ素子のみが、ＲＦ経路に影響を及ぼす。
【０１９４】
いくつかのＭＩＭＯおよびその他の並列経路送信方式と適合し得る代替的な実施形態は、ＬＯを異なる搬送波周波数への同調、およびアンテナアレイの異なるダイバーシチモードへの切り換えを統合することである。これは、互いに同期して行われることも、または独立して行われることもできる。いずれは、それらは依然として同時に生じなければならないが、各々の状態（アレイモード対搬送波周波数）は、一致している必要はない。
【０１９５】
これは、２つの正規の（regular）８０２．１１ｇ波形が異なる搬送波で並列に送信される８０２．１１ｇ＋波形を受信するために有益な実装である。この場合、ＬＯにおいて上側および下側搬送波周波数の間で交互に切り替え、その後、異なるパターンについて、アンテナアレイの異なるダイバーシチモードを交互に切り換える。
【０１９６】
ミキサを、ＲＦ波形をＩＦまたはベースバンドＤＣにダウンコンバートするように設定することができる。これは、ＡＤＣのサンプリング要件のいくつかを変更する。意図的なエイリアシングおよびその他の技法が、ＩＦアンダーサンプリングを実行し、依然として意図された情報内容を再生することができる。
【０１９７】
この手法はまた、受信および送信機能用のアンテナの２重使用も考慮する。衛星受信などのいくつかの応用例では、送信機能は必要とされない。受信および送信が同時ではない（ＷＬＡＮ、ＷｉＭＡＸ、ＷＣＤＭＡ−ＴＤＤ、ＴＤ−ＳＣＤＭＡなどの）時分割複信システム、または（ＧＳＭ／ＧＰＲＳなどの）タイムスロットＦＤＤシステムにおいて、送信モードが独立と見なされ得る場合、受信アンテナを多重化することができる。（ＣＤＭＡ２０００またはＷＣＤＭＡ−ＦＤＤなどの）全２重ＦＤＤシステムの場合、送信機能は、別個のアンテナによって達成されることができる。これらのエアインタフェースはいずれも、任意の可能な復調器技法（コヒーレント合成、ＢＳＳ、ＭＩＭＯ）を使用することができる。
【０１９８】
本発明の別の態様は、ＣＤＭＡ受信機処理に適用されるＢＳＳに関する。アンテナ素子間に十分な離隔距離を有するアンテナアレイは、復号チェーンに供給するために適している。入手可能な文献の調査は、一般にこれが当業者の確信であることを示している。
【０１９９】
その他の文献は、単一アンテナ干渉キャンセレーション（ＳＡＩＣ：Single Antenna Interference Cancellation）技法と呼ばれるものについて説明している。ＢＳＳを利用するものは、階数２の行列を生成するために、相関しているおよび／または統計的に独立なＩおよびＱチャネルを変調が有することを必要とする。したがって、これらの復号器は、１つの干渉と所望信号を分離する。２つの干渉が存在する場合、既存のＳＡＩＣ技法は実用的ではない。文献においては、これを「仮想」第２アンテナ（“virtual”second antenna）の使用と呼ぶ。
【０２００】
従来技術を、既存技術手段および現在は文献で利用されていないその他の方法によって信号の独立和を獲得することによって、改良することができる。ＩおよびＱ手段は、いくつかの無線アクセスネットワークでは実用的であるが、ＣＤＭＡ符号化にとっては適していないこともある。混合行列を作成するための上で説明されたすべての方法を、この実装の一部として使用することができる。
【０２０１】
これらの技法は、ＩＣＡ使用可能行列の階数を増やし、ＩＣＡの適用が所望信号を抽出する可能性もより高めるが、それを保証することはできない。そのため、詳述されたばかりの技法を、適切な復号チェーンを選択するために依然として使用する必要がある。例えば、ＩＣＡ処理が処理される信号和に過度に不都合であるならば、ＩＣＡ処理から手を引く必要がある。
【０２０２】
第２の実施形態では、図２６に示されるように、異なる復号チェーンが利用される。ノードＡにおける信号セットの一例が、図２７に示されている。明瞭とするため、単一の干渉が示されているが、同じ議論を、複数の干渉および増大した行列階数にも適用することができる。狭帯域干渉はノイズフロアを超え、所望のＣＤＭＡ信号は、ノイズフロアより下にある。
【０２０３】
図２８のノードＢでは、干渉が抽出されている。「選択器」が、抽出信号が実際に干渉であるかどうかを決定する。干渉が存在しない場合、信号は選択されない。信号が所望信号の特性を有する場合、それは選択されない。１つまたは複数の干渉が選択された場合、それらは「反転器」に与えられる（ノードＣ）。ＩＣＡ抽出は受信信号を反転することも、または反転しないこともでき、受信信号を一致させるために各信号が反転される必要があるかどうかに関する決定が必要である。
【０２０４】
干渉は、正しい振幅符号とともに、ノードＤにおいて加算器の負の入力に与えられる。当業者であれば、もちろん、代替のしかし等価の実装が可能であることを理解しよう。例えば、純粋な加算器をこのステージにおいて利用することができ、信号が非反転波形で抽出された場合、反転器だけが利用される。元の受信信号（ノードＡ）の遅延バージョンが、他方の加算器入力に与えられる。遅延値は、ＩＣＡ、選択、および「反転器」処理によって生じる遅延に等しい。当業者であれば、もちろん、代替のしかし等価の実装が可能であることを理解しよう。例えば、遅延および加算器の機能ブロックを、最小値が実現されるまで２つの信号をシフトし加算する最小化ブロックによって置き換えることができる。
【０２０５】
図２９のノードＤでは、干渉が取り除かれている。図３０のノードＥでは、レイク受信機が信号を逆拡散し、それが今ではベースバンド復号器に提供されることができる。この実施形態のさらなる詳細は、アンテナ構造によって集められる信号は、既存技術を機能強化するための先に説明された実施形態によって選択（options）を介して獲得されることができるというものである。
【０２０６】
図２６に示された構造は、概説された本発明を実施する１つの方法に過ぎないことを理解されたい。適当な場合には「選択器」に信号を提供させないのではなく、むしろ前または後処理位置のどちらかで異なる経路を別々に（other the other）選択する従来技術の実装も使用することができる。トレードオフは、処理遅延、実装のコスト、全体的動作の堅牢性、およびある程度の設計者の選択に関係する。レイク受信機への提供の前に信号ストリームから干渉を減算するという基礎にある基本概念だけが、同じ発明に属するすべての変形において保持される必要がある。
【０２０７】
先の説明は干渉の完全な除去について示されたが、すべての干渉が除去されなくてもよいことを理解されたい。しかし、どのような干渉の除去も一般に、レイク復号器が改善された信号セットを処理するのであれば、従来技術にまさる改善性能を提供する。
【０２０８】
ＣＤＭＡ信号は、その性質により、逆拡散バージョンよりもガウシアンであり、ＩＣＡが検出するのはより困難である傾向にある。しかし、信号は依然としていくつかの統計的有意性を保持しているので、所望信号に関連付けられたいくつかのデータの除去も可能である。前と同じように、干渉の除去は通常は、はるかにより重要であり、レイク復号器に提供されるものの中の全体的利得。代替として、全体的復号プロセスは、プロセスへのインクリメンタル手法（incremental approach）を使用することによって、さらに機能強化されることができる。信号は包含または排除に関してより詳細に検査され得ること、ならびに／または除去される信号の数は段階的に増加または減少され得ること、および結果の改善または悪化の程度について測定された復号信号の完全性（integrity）を意味する。
【０２０９】
この実施形態のキーポイントは、ＩＣＡは、識別できる可能性が高い信号には使用され、識別および／または抽出がその間は困難なレイク処理前ではＣＤＭＡ信号には使用されないことである。
【０２１０】
本発明の別の態様は、パターンを介したブラインド信号分離のためのハイブリッド最小平均２乗誤差行列−ペンシル分離重み（hybrid minimum mean squared error matrix-pencil separation weight）に関する。線形独立総和信号を提供するために複数のセンサが必要とされる特許文献２が再び参照される。同文献は参照により本明細書に組み込まれる。上で説明されたアンテナアレイを複数のセンサの代わりに使用することができるが、特許文献２に開示される後処理は依然として適用可能である。
【０２１１】
先の説明および関連する図面で提示された教示の利点を有する本発明の多くの修正およびその他の実施形態が、当業者に思い浮かぶであろう。したがって、本発明は開示された具体的な実施形態に限定されない。さらに、修正および実施形態は添付の特許請求の範囲内に含まれることが意図されていることを理解されたい。
【図面の簡単な説明】
【０２１２】
【図１】本発明による、通信装置がそれぞれの信号源から所望および非所望の信号を受信する、典型的な動作シナリオのブロック図である。
【図２】図１に示された通信装置のより詳細なブロック図である。
【図３】本発明による、混合行列用に原信号の線形独立和を生成するための異なる手法のロードマップである。
【図４】本発明による、スイッチビームアンテナとして構成されるアンテナアレイのブロック図である。
【図５】本発明による、フェーズドアレイアンテナとして構成されるアンテナアレイのブロック図である。
【図６】本発明による、偏波化したアンテナ素子を用いて構成されるアンテナアレイのブロック図である。
【図７】本発明による、３偏波の使用を示す３次元プロットの図である。
【図８】本発明による、信号の異なる総和をブラインド信号分離処理に提供するための、相関および無相関アンテナ素子を含むアンテナアレイを備える通信装置のブロック図である。
【図９】本発明による、信号の異なる総和をブラインド信号分離処理に提供するための、アレイ偏向に基づいて動作する通信装置のブロック図である。
【図１０】本発明による、アンテナパターンの仰角を選択的に変更する仰角コントローラを備えるスイッチビームアンテナのブロック図である。
【図１１】方位角方向でのアンテナパターンと、その後、図９に示された仰角コントローラに応答して仰角方向で回転されたアンテナパターンとを示す、アンテナプロットの図である。
【図１２】本発明による、仰角方向でアンテナパターンを回転させるために接地平面で形成されるＲＦチョークを有するアンテナ素子のブロック図である。
【図１３】本発明による、信号の異なる総和をブラインド信号分離処理に提供するために、経路選択に基づいて動作する通信装置のブロック図である。
【図１４】本発明による、信号の追加の総和をブラインド信号分離処理に提供するために、拡散符号に基づいて動作する通信装置のブロック図である。
【図１５】本発明による、信号の追加の総和をブラインド信号分離処理に提供するために、同相／直交信号成分に基づいて動作する通信装置のブロック図である。
【図１６】図１５に示されたようなアンテナ素子に接続される同相／直交モジュールのより詳細なブロック図である。
【図１７】本発明による、パターンダイバーシチに基づいて動作するＭＩＭＯシステムのブロック図である。
【図１８】本発明による、符号間干渉に対処するフーリエ変換通信システムのブロック図である。
【図１９】本発明による、送信機が各レイヤ空間ストリームについてタイムスロットベースで電力レベルを変化させる通信システムのブロック図である。
【図２０】本発明による、同じアクセスポイントに送信する複数の送信機をサポートするために波状パターンが使用される通信システムのブロック図である。
【図２１】本発明による、処理および電力ドレインを最適化する受信機のブロック図である。
【図２２】その動作を送信機と調整する図２１に示された受信機のブロック図である。
【図２３】本発明による、受信機に知られたタイミング順で起伏させられる送信パターン輪郭のプロットの図である。
【図２４】本発明による、シンボル期間が１２回の変化をもち（１２チップ）、変化させられるパラメータが４チップの間は一定に保たれるタイムライン（ｔｉｍｅ  ｌｉｎｅ）の図である。
【図２５】本発明による、複数の空間独立チャネルのための受信機のブロック図である。
【図２６】本発明による、受信機復号チェーンのブロック図である。
【図２７】図２６のノードＡに対応する振幅対周波数のプロットの図である。
【図２８】図２６のノードＢに対応する振幅対周波数のプロットの図である。
【図２９】図２６のノードＤに対応する振幅対周波数のプロットの図である。
【図３０】図２６のノードＥに対応する振幅対周波数のプロットの図である。
【図１】
2008517491.tif 000010
【図２】
2008517491.tif 000011
【図３】
2008517491.tif 000012
【図４】
2008517491.tif 000013
【図５】
2008517491.tif 000014
【図６】
2008517491.tif 000015
【図７】
2008517491.tif 000016
【図８】
2008517491.tif 000017
【図９】
2008517491.tif 000018
【図１０】
2008517491.tif 000019
【図１１】
2008517491.tif 000020
【図１２】
2008517491.tif 000021
【図１３】
2008517491.tif 000022
【図１４】
2008517491.tif 000023
【図１５】
2008517491.tif 000024
【図１６】
2008517491.tif 000025
【図１７】
2008517491.tif 000026
【図１８】
2008517491.tif 000027
【図１９】
2008517491.tif 000028
【図２０】
2008517491.tif 000029
【図２１】
2008517491.tif 000030
【図２２】
2008517491.tif 000031
【図２３】
2008517491.tif 000032
【図２４】
2008517491.tif 000033
【図２５】
2008517491.tif 000034
【図２６】
2008517491.tif 000035
【図２７】
2008517491.tif 000036
【図２８】
2008517491.tif 000037
【図２９】
2008517491.tif 000038
【図３０】
2008517491.tif 000039
【国際調査報告】
2008517491.tif 000040